(57)【要約】【課題】眼底画像を解析して得られる指標を視認性良く表示する。【解決手段】眼底画像処理装置１は、Ｒ／Ｄ比演算部１３１を有する画像解析部１３と、表示部１４１と、表示制御部１０２を有する制御部１０とを備えている。画像解析部１３は、眼底画像の画像データを解析して複数のＲ／Ｄ比Ｒ／Ｄ（ｉ）を取得する。制御部１０は、眼底画像を表示部１４１に表示させるとともに、画像解析部１３により取得されたＲ／Ｄ比の値Ｒ／Ｄ（ｉ）の分布を表す画像情報を眼底画像上に表示させる。また、制御部１０は、複数のＲ／Ｄ比の値Ｒ／Ｄ（ｉ）を表すグラフ情報を眼底画像とともに表示部１４１に表示させる。【選択図】図１
2008154951.tif 000002
【特許請求の範囲】
【請求項１】
眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、
表示手段と、
前記眼底画像を前記表示手段に表示させるとともに、前記解析手段により取得されたＲ／Ｄ比の値の分布を表す画像情報を前記眼底画像上に表示させる制御手段と、
を備えることを特徴とする眼底画像処理装置。
【請求項２】
前記制御手段は、前記複数のＲ／Ｄ比の値を２以上の範囲に分類し、各分類を異なる表示態様として前記画像情報を表示させる、
ことを特徴とする請求項１に記載の眼底画像処理装置。
【請求項３】
前記制御手段は、前記異なる表示態様として、前記各分類を色分け表示する、
ことを特徴とする請求項２に記載の眼底画像処理装置。
【請求項４】
前記制御手段は、前記眼底画像における前記視神経乳頭領域の外縁位置に前記画像情報を表示させる、
ことを特徴とする請求項１に記載の眼底画像処理装置。
【請求項５】
操作手段を更に備え、
前記制御手段は、前記表示された眼底画像上の位置が前記操作手段により指定されたときに、前記指定された位置に対応するＲ／Ｄ比の値を前記表示手段に表示させる、
ことを特徴とする請求項１に記載の眼底画像処理装置。
【請求項６】
操作手段を更に備え、
前記解析手段は、前記表示された眼底画像上の領域が前記操作手段により指定されたときに、前記指定された領域におけるＲ／Ｄ比の平均値を算出し、
前記制御手段は、前記算出されたＲ／Ｄ比の平均値を前記表示手段に表示させる、
ことを特徴とする請求項１に記載の眼底画像処理装置。
【請求項７】
同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段と、
表示手段と、
前記２つの眼底画像の少なくとも一方を前記表示手段に表示させるとともに、前記解析手段により演算された前記複数の差分の値の分布を表す差分画像情報を前記少なくとも一方の眼底画像上に表示させる制御手段と、
を備えることを特徴とする眼底画像処理装置。
【請求項８】
前記制御手段は、前記複数の差分の値を２以上の範囲に分類し、各分類を異なる表示態様として前記差分画像情報を表示させる、
ことを特徴とする請求項７に記載の眼底画像処理装置。
【請求項９】
前記制御手段は、前記２つの眼底画像のうちの一方の眼底画像について前記取得された複数のＲ／Ｄ比のうち所定閾値以下のＲ／Ｄ比に対応する部位を表す情報を他方の眼底画像上に表示させる、
ことを特徴とする請求項７に記載の眼底画像処理装置。
【請求項１０】
眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、
表示手段と、
前記解析手段により取得された複数のＲ／Ｄ比の値を表すグラフ情報を前記眼底画像とともに前記表示手段に表示させる制御手段と、
を備えることを特徴とする眼底画像処理装置。
【請求項１１】
前記制御手段は、前記複数のＲ／Ｄ比のそれぞれの値をヒストグラムで表現した前記グラフ情報を表示させる、
ことを特徴とする請求項１０に記載の眼底画像処理装置。
【請求項１２】
前記制御手段は、前記複数のＲ／Ｄ比の値を２以上の範囲に分類し、各分類を異なる表示態様として前記グラフ情報を表示させる、
ことを特徴とする請求項１０に記載の眼底画像処理装置。
【請求項１３】
前記制御手段は、前記異なる表示態様として、前記各分類を色分け表示する、
ことを特徴とする請求項１２に記載の眼底画像処理装置。
【請求項１４】
前記制御手段は、あらかじめ指定された眼底画像の部位を示す指定部位情報を前記グラフ情報に関連付けて前記表示手段に表示させる、
ことを特徴とする請求項１０に記載の眼底画像処理装置。
【請求項１５】
前記制御手段は、前記複数のＲ／Ｄ比の値を前記グラフ情報に関連付けて前記表示手段に表示させる、
ことを特徴とする請求項１０に記載の眼底画像処理装置。
【請求項１６】
操作手段を更に備え、
前記解析手段は、前記表示されたグラフ情報中の情報が前記操作手段により指定されたときに、前記指定された情報に対応するＲ／Ｄ比の平均値を算出し、
前記制御手段は、前記算出されたＲ／Ｄ比の平均値を前記表示手段に表示させる、
ことを特徴とする請求項１０に記載の眼底画像処理装置。
【請求項１７】
同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段と、
表示手段と、
前記解析手段により演算された前記複数の差分の値を表す差分グラフ情報を、前記２つの眼底画像の少なくとも一方とともに前記表示手段に表示させる制御手段と、
を備えることを特徴とする眼底画像処理装置。
【請求項１８】
前記制御手段は、前記複数の差分の値を２以上の範囲に分類し、各分類を異なる表示態様として前記差分グラフ情報を表示させる、
ことを特徴とする請求項１７に記載の眼底画像処理装置。
【請求項１９】
前記制御手段は、前記２つの眼底画像のうちの一方の眼底画像について前記取得された複数のＲ／Ｄ比のうち所定閾値以下のＲ／Ｄ比に対応する部位を表す情報を他方の眼底画像上に表示させる、
ことを特徴とする請求項１７に記載の眼底画像処理装置。
【請求項２０】
眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、
表示手段と、
前記解析手段により取得された複数のＲ／Ｄ比の値を表すグラフ情報を前記眼底画像とともに前記表示手段に表示させるとともに、前記Ｒ／Ｄ比の値の分布を表す画像情報を前記眼底画像上に表示させる制御手段と、
を備えることを特徴とする眼底画像処理装置。
【請求項２１】
操作手段を更に備え、
前記制御手段は、前記表示された眼底画像上の位置が前記操作手段により指定されたときに、前記指定された位置に対応する前記グラフ情報中の情報の表示態様を変更する、
ことを特徴とする請求項２０に記載の眼底画像処理装置。
【請求項２２】
操作手段を更に備え、
前記制御手段は、前記表示されたグラフ情報中の情報が前記操作手段により指定されたときに、前記指定された情報に対応する前記眼底画像上の位置を表す位置情報を前記表示手段に表示させる、
ことを特徴とする請求項２０に記載の眼底画像処理装置。
【請求項２３】
前記制御手段は、前記視神経乳頭領域の外縁位置を表す乳頭外縁画像と、前記陥凹領域の外縁を表す陥凹外縁画像とを前記眼底画像上に表示させる、
ことを特徴とする請求項１、請求項７、請求項１０、請求項１７又は請求項２０に記載の眼底画像処理装置。
【請求項２４】
前記解析手段は、前記眼底画像の画像データを解析して視神経乳頭領域の中心位置を求め、前記中心位置を中心とする一定の角度間隔の複数部位におけるＲ／Ｄ比をそれぞれ取得する、
ことを特徴とする請求項１、請求項７、請求項１０、請求項１７又は請求項２０に記載の眼底画像処理装置。
【請求項２５】
前記制御手段は、前記Ｒ／Ｄ比の演算に用いられた前記リム領域の幅を表す画像及び前記視神経乳頭領域の外縁の径を表す画像を前記眼底画像上に表示させる、
ことを特徴とする請求項１、請求項７、請求項１０、請求項１７又は請求項２０に記載の眼底画像処理装置。
【請求項２６】
前記制御手段は、前記表示された眼底画像上における距離を表すスケール画像を前記眼底画像とともに表示させる、
ことを特徴とする請求項１、請求項７、請求項１０、請求項１７又は請求項２０に記載の眼底画像処理装置。
【請求項２７】
前記解析手段は、前記眼底画像の画像データを解析し、前記視神経乳頭領域の面積と前記リム領域の面積とを演算し、
前記制御手段は、前記演算された前記視神経乳頭領域の面積の値と前記リム領域の面積の値とを前記表示手段に表示させる、
ことを特徴とする請求項１、請求項７、請求項１０、請求項１７又は請求項２０に記載の眼底画像処理装置。
【請求項２８】
前記解析手段は、前記演算された前記リム領域の面積と前記視神経乳頭領域の面積との比を演算し、
前記制御手段は、前記演算された前記面積の比の値を前記表示手段に表示させる、
ことを特徴とする請求項２７に記載の眼底画像処理装置。
【請求項２９】
前記解析手段は、前記眼底画像の画像データを解析し、前記陥凹領域の外縁の径と、前記視神経乳頭領域の外縁の径との比を演算してＣ／Ｄ比を取得し、
前記制御手段は、前記取得されたＣ／Ｄ比の値を前記表示手段に表示させる、
ことを特徴とする請求項１、請求項７、請求項１０、請求項１７又は請求項２０に記載の眼底画像処理装置。
【請求項３０】
前記解析手段は、前記Ｃ／Ｄ比として、前記陥凹領域の外縁の最大径と、前記視神経乳頭領域の外縁の最大径との比を演算する、
ことを特徴とする請求項２９に記載の眼底画像処理装置。
【請求項３１】
前記解析手段は、前記Ｃ／Ｄ比として、前記陥凹領域の外縁の最大径と、当該最大径を通過する前記視神経乳頭領域の外縁の径との比を演算する、
ことを特徴とする請求項２９に記載の眼底画像処理装置。
【請求項３２】
前記解析手段は、前記眼底画像の画像データを解析し、前記視神経乳頭領域の面積と前記陥凹領域の面積とを演算し、
前記制御手段は、前記演算された前記視神経乳頭領域の面積の値と前記陥凹領域の面積の値とを前記表示手段に表示させる、
ことを特徴とする請求項１、請求項７、請求項１０、請求項１７又は請求項２０に記載の眼底画像処理装置。
【請求項３３】
前記解析手段は、前記演算された前記陥凹領域の面積と前記視神経乳頭領域の面積との比を演算し、
前記制御手段は、前記演算された前記面積の比の値を前記表示手段に表示させる、
ことを特徴とする請求項３２に記載の眼底画像処理装置。
【請求項３４】
操作手段を更に備え、
前記解析手段は、前記操作手段により前記表示された眼底画像上に指定された視神経乳頭領域の外縁と陥凹領域の外縁とに基づいて、前記リム領域の幅と前記視神経乳頭領域の外縁の径とを演算する、
ことを特徴とする請求項１、請求項７、請求項１０、請求項１７又は請求項２０に記載の眼底画像処理装置。
【請求項３５】
眼底を撮影して眼底画像の画像データを取得する取得手段と、
前記取得された眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、
表示手段と、
前記眼底画像を前記表示手段に表示させるとともに、前記解析手段により取得されたＲ／Ｄ比の値の分布を表す画像情報を前記眼底画像上に表示させる制御手段と、
を備えることを特徴とする眼底撮影装置。
【請求項３６】
眼底を撮影して眼底画像の画像データを取得する取得手段と、
前記取得手段により同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段と、
表示手段と、
前記２つの眼底画像の少なくとも一方を前記表示手段に表示させるとともに、前記解析手段により演算された前記複数の差分の値の分布を表す差分画像情報を前記少なくとも一方の眼底画像上に表示させる制御手段と、
を備えることを特徴とする眼底撮影装置。
【請求項３７】
眼底を撮影して眼底画像の画像データを取得する取得手段と、
前記取得された眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、
表示手段と、
前記解析手段により取得された複数のＲ／Ｄ比の値を表すグラフ情報を前記眼底画像とともに前記表示手段に表示させる制御手段と、
を備えることを特徴とする眼底撮影装置。
【請求項３８】
眼底を撮影して眼底画像の画像データを取得する取得手段と、
前記取得手段により同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段と、
表示手段と、
前記解析手段により演算された前記複数の差分の値を表す差分グラフ情報を、前記２つの眼底画像の少なくとも一方とともに前記表示手段に表示させる制御手段と、
を備えることを特徴とする眼底撮影装置。
【請求項３９】
眼底を撮影して眼底画像の画像データを取得する取得手段と、
前記取得された眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、
表示手段と、
前記解析手段により取得された複数のＲ／Ｄ比の値を表すグラフ情報を前記眼底画像とともに前記表示手段に表示させるとともに、前記Ｒ／Ｄ比の値の分布を表す画像情報を前記眼底画像上に表示させる制御手段と、
を備えることを特徴とする眼底撮影装置。
【請求項４０】
眼底画像を表示する表示手段を備え、前記眼底画像の画像データを処理するコンピュータを、
眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段として機能させ、
前記眼底画像を前記表示手段に表示させるとともに、前記解析手段により取得されたＲ／Ｄ比の値の分布を表す画像情報を前記眼底画像上に表示させる制御手段として機能させる、
ことを特徴とするプログラム。
【請求項４１】
眼底画像を表示する表示手段を備え、前記眼底画像の画像データを処理するコンピュータを、
同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段として機能させ、
前記２つの眼底画像の少なくとも一方を前記表示手段に表示させるとともに、前記解析手段により演算された前記複数の差分の値の分布を表す差分画像情報を前記少なくとも一方の眼底画像上に表示させる制御手段して機能させる、
ことを特徴とするプログラム。
【請求項４２】
眼底画像を表示する表示手段を備え、前記眼底画像の画像データを処理するコンピュータを、
眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段として機能させ、
前記解析手段により取得された複数のＲ／Ｄ比の値を表すグラフ情報を前記眼底画像とともに前記表示手段に表示させる制御手段として機能させる、
ことを特徴とするプログラム。
【請求項４３】
眼底画像を表示する表示手段を備え、前記眼底画像の画像データを処理するコンピュータを、
同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段として機能させ、
前記解析手段により演算された前記複数の差分の値を表す差分グラフ情報を、前記２つの眼底画像の少なくとも一方とともに前記表示手段に表示させる制御手段として機能させる、
ことを特徴とするプログラム。
【請求項４４】
眼底画像を表示する表示手段を備え、前記眼底画像の画像データを処理するコンピュータを、
眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段として機能させ、
前記解析手段により取得された複数のＲ／Ｄ比の値を表すグラフ情報を前記眼底画像とともに前記表示手段に表示させるとともに、前記Ｒ／Ｄ比の値の分布を表す画像情報を前記眼底画像上に表示させる制御手段として機能させる、
ことを特徴とするプログラム。
【発明の詳細な説明】
【技術分野】
【０００１】
この発明は、眼底画像を処理する眼底画像処理装置、眼底画像を撮影して表示する眼底撮影装置、及び、眼底画像を処理するコンピュータを制御するプログラムに関し、特に、眼底画像の解析結果を表示する技術に関するものである。
【背景技術】
【０００２】
緑内障は、何らかの原因で視神経が損傷して視野に欠損が生じる疾患であり、失明の主要原因の一つとして知られている。緑内障には、眼圧の上昇により視神経乳頭が陥没し、それにより視神経細胞への血液の供給が阻害されて視神経細胞が死滅して起こるものと、眼圧の上昇を伴わずに視野欠損が生じるものとがある。なお、後者（正常眼圧緑内障）の場合においても、視神経乳頭に陥没が発生する。
【０００３】
このような現象に鑑み、緑内障を診断するための指標として、視神経乳頭の陥没状態を反映するＣ／Ｄ比が従来から広く用いられている。また、近年では、Ｒ／Ｄ比も用いられるようになってきている。
【０００４】
Ｃ／Ｄ比（ｃｕｐ−ｔｏ−ｄｉｓｃ  ｒａｔｉｏ；陥凹乳頭径比）は、視神経乳頭の陥凹（ｃｕｐ）領域の外縁の直径と、視神経乳頭（ｄｉｓｃ）の外縁の直径との比として定義される。なお、垂直方向（被検体の体軸方向）における直径の比を垂直Ｃ／Ｄ比と呼び、水平方向（体軸方向に直交する方向）における直径の比を水平Ｃ／Ｄ比と呼ぶことがある（たとえば特許文献１参照）。
【０００５】
Ｒ／Ｄ比（ｒｉｍ−ｔｏ−ｄｉｓｃ  ｒａｔｉｏ；リム乳頭径比）は、リム領域の幅と、この幅の計測位置及び乳頭中心を通過する乳頭径との比として定義される。ここで、リム（ｒｉｍ）領域とは、視神経乳頭の外縁と視神経乳頭の陥凹の外縁との間に存在する領域を意味する。Ｒ／Ｄ比は、乳頭中心を通過する放射状の直線群のそれぞれについて定義することができる。
【０００６】
近年、眼底画像を解析してＣ／Ｄ比を求める様々な手法が開発されている（たとえば特許文献１〜３参照）。このような従来の発明では、Ｃ／Ｄ比の計測値をそのままディスプレイに表示していた。なお、Ｃ／Ｄ比については、一般に垂直Ｃ／Ｄ比と水平Ｃ／Ｄ比とが参照されるので、計測値のみを表示しても特に問題はない。
【０００７】
【特許文献１】特開平１１−１５１２０６号公報
【特許文献２】特開２００６−２６３１２７号公報
【特許文献３】特開２００６−２８０４１１号公報
【発明の開示】
【発明が解決しようとする課題】
【０００８】
このように、従来の手法によれば、眼底画像を解析してＣ／Ｄ比を求めて表示することはできるが、Ｒ／Ｄ比を自動的に計測することはできなかった。また、従来の手法に倣えば、Ｒ／Ｄ比の計測値をそのまま表示することしかできないため、特に多数の部位についてＲ／Ｄ比を計測した場合に、その計測結果を視認性良く表示することができない。それにより、特に診断経験の浅い医師などにおいては、診断に長時間を要するといった問題や、診断を容易に行えないといった問題が生じるおそれがある。
【０００９】
この発明は、以上のような問題を解決するためになされたもので、眼底画像を解析して得られる指標を視認性良く表示することが可能な眼底画像処理装置、眼底撮影装置及びプログラムを提供することを目的とする。
【課題を解決するための手段】
【００１０】
上記目的を達成するために、請求項１に記載の発明は、眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、表示手段と、前記眼底画像を前記表示手段に表示させるとともに、前記解析手段により取得されたＲ／Ｄ比の値の分布を表す画像情報を前記眼底画像上に表示させる制御手段と、を備えることを特徴とする眼底画像処理装置である。
【００１１】
また、請求項２に記載の発明は、請求項１に記載の眼底画像処理装置であって、前記制御手段は、前記複数のＲ／Ｄ比の値を２以上の範囲に分類し、各分類を異なる表示態様として前記画像情報を表示させる、ことを特徴とする。
【００１２】
また、請求項３に記載の発明は、請求項２に記載の眼底画像処理装置であって、前記制御手段は、前記異なる表示態様として、前記各分類を色分け表示する、ことを特徴とする。
【００１３】
また、請求項４に記載の発明は、請求項１に記載の眼底画像処理装置であって、前記制御手段は、前記眼底画像における前記視神経乳頭領域の外縁位置に前記画像情報を表示させる、ことを特徴とする。
【００１４】
また、請求項５に記載の発明は、請求項１に記載の眼底画像処理装置であって、操作手段を更に備え、前記制御手段は、前記表示された眼底画像上の位置が前記操作手段により指定されたときに、前記指定された位置に対応するＲ／Ｄ比の値を前記表示手段に表示させる、ことを特徴とする。
【００１５】
また、請求項６に記載の発明は、請求項１に記載の眼底画像処理装置であって、操作手段を更に備え、前記解析手段は、前記表示された眼底画像上の領域が前記操作手段により指定されたときに、前記指定された領域におけるＲ／Ｄ比の平均値を算出し、前記制御手段は、前記算出されたＲ／Ｄ比の平均値を前記表示手段に表示させる、ことを特徴とする。
【００１６】
また、請求項７に記載の発明は、同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段と、表示手段と、前記２つの眼底画像の少なくとも一方を前記表示手段に表示させるとともに、前記解析手段により演算された前記複数の差分の値の分布を表す差分画像情報を前記少なくとも一方の眼底画像上に表示させる制御手段と、を備えることを特徴とする眼底画像処理装置である。
【００１７】
また、請求項８に記載の発明は、請求項７に記載の眼底画像処理装置であって、前記制御手段は、前記複数の差分の値を２以上の範囲に分類し、各分類を異なる表示態様として前記差分画像情報を表示させる、ことを特徴とする。
【００１８】
また、請求項９に記載の発明は、請求項７に記載の眼底画像処理装置であって、前記制御手段は、前記２つの眼底画像のうちの一方の眼底画像について前記取得された複数のＲ／Ｄ比のうち所定閾値以下のＲ／Ｄ比に対応する部位を表す情報を他方の眼底画像上に表示させる、ことを特徴とする。
【００１９】
また、請求項１０に記載の発明は、眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、表示手段と、前記解析手段により取得された複数のＲ／Ｄ比の値を表すグラフ情報を前記眼底画像とともに前記表示手段に表示させる制御手段と、を備えることを特徴とする眼底画像処理装置である。
【００２０】
また、請求項１１に記載の発明は、請求項１０に記載の眼底画像処理装置であって、前記制御手段は、前記複数のＲ／Ｄ比のそれぞれの値をヒストグラムで表現した前記グラフ情報を表示させる、ことを特徴とする。
【００２１】
また、請求項１２に記載の発明は、請求項１０に記載の眼底画像処理装置であって、前記制御手段は、前記複数のＲ／Ｄ比の値を２以上の範囲に分類し、各分類を異なる表示態様として前記グラフ情報を表示させる、ことを特徴とする。
【００２２】
また、請求項１３に記載の発明は、請求項１２に記載の眼底画像処理装置であって、前記制御手段は、前記異なる表示態様として、前記各分類を色分け表示する、ことを特徴とする。
【００２３】
また、請求項１４に記載の発明は、請求項１０に記載の眼底画像処理装置であって、前記制御手段は、あらかじめ指定された眼底画像の部位を示す指定部位情報を前記グラフ情報に関連付けて前記表示手段に表示させる、ことを特徴とする。
【００２４】
また、請求項１５に記載の発明は、請求項１０に記載の眼底画像処理装置であって、前記制御手段は、前記複数のＲ／Ｄ比の値を前記グラフ情報に関連付けて前記表示手段に表示させる、ことを特徴とする。
【００２５】
また、請求項１６に記載の発明は、請求項１０に記載の眼底画像処理装置であって、操作手段を更に備え、前記解析手段は、前記表示されたグラフ情報中の情報が前記操作手段により指定されたときに、前記指定された情報に対応するＲ／Ｄ比の平均値を算出し、前記制御手段は、前記算出されたＲ／Ｄ比の平均値を前記表示手段に表示させる、ことを特徴とする。
【００２６】
また、請求項１７に記載の発明は、同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段と、表示手段と、前記解析手段により演算された前記複数の差分の値を表す差分グラフ情報を、前記２つの眼底画像の少なくとも一方とともに前記表示手段に表示させる制御手段と、を備えることを特徴とする眼底画像処理装置である。
【００２７】
また、請求項１８に記載の発明は、請求項１７に記載の眼底画像処理装置であって、前記制御手段は、前記複数の差分の値を２以上の範囲に分類し、各分類を異なる表示態様として前記差分グラフ情報を表示させる、ことを特徴とする。
【００２８】
また、請求項１９に記載の発明は、請求項１７に記載の眼底画像処理装置であって、前記制御手段は、前記２つの眼底画像のうちの一方の眼底画像について前記取得された複数のＲ／Ｄ比のうち所定閾値以下のＲ／Ｄ比に対応する部位を表す情報を他方の眼底画像上に表示させる、ことを特徴とする。
【００２９】
また、請求項２０に記載の発明は、眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、表示手段と、前記解析手段により取得された複数のＲ／Ｄ比の値を表すグラフ情報を前記眼底画像とともに前記表示手段に表示させるとともに、前記Ｒ／Ｄ比の値の分布を表す画像情報を前記眼底画像上に表示させる制御手段と、を備えることを特徴とする眼底画像処理装置である。
【００３０】
また、請求項２１に記載の発明は、請求項２０に記載の眼底画像処理装置であって、操作手段を更に備え、前記制御手段は、前記表示された眼底画像上の位置が前記操作手段により指定されたときに、前記指定された位置に対応する前記グラフ情報中の情報の表示態様を変更する、ことを特徴とする。
【００３１】
また、請求項２２に記載の発明は、請求項２０に記載の眼底画像処理装置であって、操作手段を更に備え、前記制御手段は、前記表示されたグラフ情報中の情報が前記操作手段により指定されたときに、前記指定された情報に対応する前記眼底画像上の位置を表す位置情報を前記表示手段に表示させる、ことを特徴とする。
【００３２】
また、請求項２３に記載の発明は、請求項１、請求項７、請求項１０、請求項１７又は請求項２０に記載の眼底画像処理装置であって、前記制御手段は、前記視神経乳頭領域の外縁位置を表す乳頭外縁画像と、前記陥凹領域の外縁を表す陥凹外縁画像とを前記眼底画像上に表示させる、ことを特徴とする。
【００３３】
また、請求項２４に記載の発明は、請求項１、請求項７、請求項１０、請求項１７又は請求項２０に記載の眼底画像処理装置であって、前記解析手段は、前記眼底画像の画像データを解析して視神経乳頭領域の中心位置を求め、前記中心位置を中心とする一定の角度間隔の複数部位におけるＲ／Ｄ比をそれぞれ取得する、ことを特徴とする。
【００３４】
また、請求項２５に記載の発明は、請求項１、請求項７、請求項１０、請求項１７又は請求項２０に記載の眼底画像処理装置であって、前記制御手段は、前記Ｒ／Ｄ比の演算に用いられた前記リム領域の幅を表す画像及び前記視神経乳頭領域の外縁の径を表す画像を前記眼底画像上に表示させる、ことを特徴とする。
【００３５】
また、請求項２６に記載の発明は、請求項１、請求項７、請求項１０、請求項１７又は請求項２０に記載の眼底画像処理装置であって、前記制御手段は、前記表示された眼底画像上における距離を表すスケール画像を前記眼底画像とともに表示させる、ことを特徴とする。
【００３６】
また、請求項２７に記載の発明は、請求項１、請求項７、請求項１０、請求項１７又は請求項２０に記載の眼底画像処理装置であって、前記解析手段は、前記眼底画像の画像データを解析し、前記視神経乳頭領域の面積と前記リム領域の面積とを演算し、前記制御手段は、前記演算された前記視神経乳頭領域の面積の値と前記リム領域の面積の値とを前記表示手段に表示させる、ことを特徴とする。
【００３７】
また、請求項２８に記載の発明は、請求項２７に記載の眼底画像処理装置であって、前記解析手段は、前記演算された前記リム領域の面積と前記視神経乳頭領域の面積との比を演算し、前記制御手段は、前記演算された前記面積の比の値を前記表示手段に表示させる、ことを特徴とする。
【００３８】
また、請求項２９に記載の発明は、請求項１、請求項７、請求項１０、請求項１７又は請求項２０に記載の眼底画像処理装置であって、前記解析手段は、前記眼底画像の画像データを解析し、前記陥凹領域の外縁の径と、前記視神経乳頭領域の外縁の径との比を演算してＣ／Ｄ比を取得し、前記制御手段は、前記取得されたＣ／Ｄ比の値を前記表示手段に表示させる、ことを特徴とする。
【００３９】
また、請求項３０に記載の発明は、請求項２９に記載の眼底画像処理装置であって、前記解析手段は、前記Ｃ／Ｄ比として、前記陥凹領域の外縁の最大径と、前記視神経乳頭領域の外縁の最大径との比を演算する、ことを特徴とする。
【００４０】
また、請求項３１に記載の発明は、請求項２９に記載の眼底画像処理装置であって、前記解析手段は、前記Ｃ／Ｄ比として、前記陥凹領域の外縁の最大径と、当該最大径を通過する前記視神経乳頭領域の外縁の径との比を演算する、ことを特徴とする。
【００４１】
また、請求項３２に記載の発明は、請求項１、請求項７、請求項１０、請求項１７又は請求項２０に記載の眼底画像処理装置であって、前記解析手段は、前記眼底画像の画像データを解析し、前記視神経乳頭領域の面積と前記陥凹領域の面積とを演算し、前記制御手段は、前記演算された前記視神経乳頭領域の面積の値と前記陥凹領域の面積の値とを前記表示手段に表示させる、ことを特徴とする。
【００４２】
また、請求項３３に記載の発明は、請求項３２に記載の眼底画像処理装置であって、前記解析手段は、前記演算された前記陥凹領域の面積と前記視神経乳頭領域の面積との比を演算し、前記制御手段は、前記演算された前記面積の比の値を前記表示手段に表示させる、ことを特徴とする。
【００４３】
また、請求項３４に記載の発明は、請求項１、請求項７、請求項１０、請求項１７又は請求項２０に記載の眼底画像処理装置であって、操作手段を更に備え、前記解析手段は、前記操作手段により前記表示された眼底画像上に指定された視神経乳頭領域の外縁と陥凹領域の外縁とに基づいて、前記リム領域の幅と前記視神経乳頭領域の外縁の径とを演算する、ことを特徴とする。
【００４４】
また、請求項３５に記載の発明は、眼底を撮影して眼底画像の画像データを取得する取得手段と、前記取得された眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、表示手段と、前記眼底画像を前記表示手段に表示させるとともに、前記解析手段により取得されたＲ／Ｄ比の値の分布を表す画像情報を前記眼底画像上に表示させる制御手段と、を備えることを特徴とする眼底撮影装置である。
【００４５】
また、請求項３６に記載の発明は、眼底を撮影して眼底画像の画像データを取得する取得手段と、前記取得手段により同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段と、表示手段と、前記２つの眼底画像の少なくとも一方を前記表示手段に表示させるとともに、前記解析手段により演算された前記複数の差分の値の分布を表す差分画像情報を前記少なくとも一方の眼底画像上に表示させる制御手段と、を備えることを特徴とする眼底撮影装置である。
【００４６】
また、請求項３７に記載の発明は、眼底を撮影して眼底画像の画像データを取得する取得手段と、前記取得された眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、表示手段と、前記解析手段により取得された複数のＲ／Ｄ比の値を表すグラフ情報を前記眼底画像とともに前記表示手段に表示させる制御手段と、を備えることを特徴とする眼底撮影装置である。
【００４７】
また、請求項３８に記載の発明は、眼底を撮影して眼底画像の画像データを取得する取得手段と、前記取得手段により同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段と、表示手段と、前記解析手段により演算された前記複数の差分の値を表す差分グラフ情報を、前記２つの眼底画像の少なくとも一方とともに前記表示手段に表示させる制御手段と、を備えることを特徴とする眼底撮影装置である。
【００４８】
また、請求項３９に記載の発明は、眼底を撮影して眼底画像の画像データを取得する取得手段と、前記取得された眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段と、表示手段と、前記解析手段により取得された複数のＲ／Ｄ比の値を表すグラフ情報を前記眼底画像とともに前記表示手段に表示させるとともに、前記Ｒ／Ｄ比の値の分布を表す画像情報を前記眼底画像上に表示させる制御手段と、を備えることを特徴とする眼底撮影装置である。
【００４９】
また、請求項４０に記載の発明は、眼底画像を表示する表示手段を備え、前記眼底画像の画像データを処理するコンピュータを、眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段として機能させ、前記眼底画像を前記表示手段に表示させるとともに、前記解析手段により取得されたＲ／Ｄ比の値の分布を表す画像情報を前記眼底画像上に表示させる制御手段として機能させる、ことを特徴とするプログラムである。
【００５０】
また、請求項４１に記載の発明は、眼底画像を表示する表示手段を備え、前記眼底画像の画像データを処理するコンピュータを、同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段として機能させ、前記２つの眼底画像の少なくとも一方を前記表示手段に表示させるとともに、前記解析手段により演算された前記複数の差分の値の分布を表す差分画像情報を前記少なくとも一方の眼底画像上に表示させる制御手段して機能させる、ことを特徴とするプログラムである。
【００５１】
また、請求項４２に記載の発明は、眼底画像を表示する表示手段を備え、前記眼底画像の画像データを処理するコンピュータを、眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段として機能させ、前記解析手段により取得された複数のＲ／Ｄ比の値を表すグラフ情報を前記眼底画像とともに前記表示手段に表示させる制御手段として機能させる、ことを特徴とするプログラムである。
【００５２】
また、請求項４３に記載の発明は、眼底画像を表示する表示手段を備え、前記眼底画像の画像データを処理するコンピュータを、同一の眼底について異なる日時に取得された２つの眼底画像の画像データをそれぞれ解析し、各眼底画像について、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得するとともに、前記各眼底画像について取得された前記複数のＲ／Ｄ比のそれぞれの差分を演算する解析手段として機能させ、前記解析手段により演算された前記複数の差分の値を表す差分グラフ情報を、前記２つの眼底画像の少なくとも一方とともに前記表示手段に表示させる制御手段として機能させる、ことを特徴とするプログラムである。
【００５３】
また、請求項４４に記載の発明は、眼底画像を表示する表示手段を備え、前記眼底画像の画像データを処理するコンピュータを、眼底画像の画像データを解析し、視神経乳頭領域の外縁と陥凹領域の外縁とに挟まれたリム領域の幅と、前記視神経乳頭領域の外縁の径との比を、前記リム領域の複数部位についてそれぞれ演算して複数のＲ／Ｄ比を取得する解析手段として機能させ、前記解析手段により取得された複数のＲ／Ｄ比の値を表すグラフ情報を前記眼底画像とともに前記表示手段に表示させるとともに、前記Ｒ／Ｄ比の値の分布を表す画像情報を前記眼底画像上に表示させる制御手段として機能させる、ことを特徴とするプログラムである。
【発明の効果】
【００５４】
本発明によれば、眼底画像の画像データを解析して複数のＲ／Ｄ比を取得し、その眼底画像を表示させるとともに、Ｒ／Ｄ比の値の分布を表す画像情報を眼底画像上に表示させるように構成されているので、オペレータは、Ｒ／Ｄ比の値を直感的に把握することができる。このように、本発明によれば、眼底画像を解析して得られる指標（Ｒ／Ｄ比）を視認性良く表示することが可能である。
【００５５】
また、本発明によれば、同一の眼底について異なる日時に取得された２つの眼底画像の画像データをそれぞれ解析して各眼底画像について複数のＲ／Ｄ比を取得し、各眼底画像に基づく複数のＲ／Ｄ比のそれぞれの差分を演算するとともに、２つの眼底画像の少なくとも一方を表示手段に表示させ、複数の差分の値の分布を表す差分画像情報を眼底画像上に表示させるように構成されているので、オペレータは、Ｒ／Ｄ比の変化を直感的に把握することができる。このように、本発明によれば、眼底画像を解析して得られる指標（Ｒ／Ｄ比の変化）を視認性良く表示することが可能である。
【００５６】
また、本発明によれば、眼底画像の画像データを解析して複数のＲ／Ｄ比を取得し、この複数のＲ／Ｄ比の値を表すグラフ情報を眼底画像とともに表示させるように構成されているので、オペレータは、Ｒ／Ｄ比の値を直感的に把握することができる。このように、本発明によれば、眼底画像を解析して得られる指標（Ｒ／Ｄ比）を視認性良く表示することが可能である。
【００５７】
また、本発明によれば、同一の眼底について異なる日時に取得された２つの眼底画像の画像データをそれぞれ解析して各眼底画像について複数のＲ／Ｄ比を取得し、各眼底画像に基づく複数のＲ／Ｄ比のそれぞれの差分を演算するとともに、この複数の差分の値を表す差分グラフ情報を２つの眼底画像の少なくとも一方とともに表示させるように構成されているので、オペレータは、Ｒ／Ｄ比の変化を直感的に把握することができる。このように、本発明によれば、眼底画像を解析して得られる指標（Ｒ／Ｄ比の変化）を視認性良く表示することが可能である。
【００５８】
また、本発明によれば、眼底画像の画像データを解析して複数のＲ／Ｄ比を取得し、この複数のＲ／Ｄ比の値を表すグラフ情報を眼底画像とともに表示させるとともに、複数のＲ／Ｄ比の値の分布を表す画像情報を眼底画像上に表示させるように構成されているので、オペレータは、グラフ情報及び画像情報の双方によってＲ／Ｄ比の値を直感的に把握することができる。このように、本発明によれば、眼底画像を解析して得られる指標（Ｒ／Ｄ比）を視認性良く表示することが可能である。
【発明を実施するための最良の形態】
【００５９】
この発明に係る眼底画像処理装置、眼底撮影装置及びプログラムの好適な実施形態の一例について、図面を参照しながら詳細に説明する。
【００６０】
〈第１の実施形態〉
この発明の第１の実施形態について説明する。この実施形態は、眼底画像の画像データを解析して複数部位についてのＲ／Ｄ比を求め、この複数のＲ／Ｄ比の値の分布を表す画像情報を眼底画像上に表示するとともに、複数のＲ／Ｄ比の値を表すグラフ情報を表示することにより、当該被検眼におけるＲ／Ｄ比の分布を直感的な把握の促進を図るものである。以下、このような機能を実現するための実施形態の一例を説明する。
【００６１】
［構成］
この実施形態に係る眼底画像処理装置の構成の一例を図１、図２に示す。眼底画像処理装置１は、ＬＡＮ（Ｌｏｃａｌ  Ａｒｅａ  Ｎｅｔｗｏｒｋ）等の通信回線を介して眼科画像データベース２０００に接続されている。
【００６２】
眼科画像データベース２０００は、眼科分野における画像の画像データを管理するファイリングシステムであり、たとえばデジタルの画像データを保管する大容量記憶装置と、この大容量記憶装置に保管されたデータを管理するデータベースソフトウェアとを含んでいる。なお、眼科画像データベース２０００は、画像データ用のファイリングシステムとともに、電子カルテ用等の他用途のファイリングシステムを含んでいてもよい。
【００６３】
眼科画像データベース２０００に保管される画像データは、眼底撮影装置１０００によって取得される。なお、図１には眼底撮影装置が１台しか記載されていないが、２台以上の眼底撮影装置を設置することも可能である。
【００６４】
眼底撮影装置１０００は、被検眼の眼底画像を撮影して画像データ（デジタルデータ）Ｇを取得可能な装置である。眼底撮影装置１０００により取得された眼底画像の画像データＧは、ＬＡＮ等の通信回線を介して眼科画像データベース２０００に送信されて保管される。眼底撮影装置１０００としては、たとえば眼底カメラや光コヒーレンストモグラフィ装置や走査型レーザ検眼鏡などの任意の装置を適用することができる。
【００６５】
眼底カメラは、眼底に向けて照明光を照射し、その眼底反射光をＣＣＤ（Ｃｈａｒｇｅ  Ｃｏｕｐｌｅｄ  Ｄｅｖｉｃｅｓ）イメージセンサ等の受光素子により受光して眼底画像の画像データＧを取得する装置である。左右独立の光学系を有する立体観察用の眼底カメラ（たとえば特開平５−１５４９９号公報参照：立体眼底カメラと呼ぶことにする。）を用いることも可能である。
【００６６】
光コヒーレンストモグラフィ（Ｏｐｔｉｃａｌ  Ｃｏｈｅｒｅｎｃｅ  Ｔｏｍｏｇｒａｐｈｙ；ＯＣＴ）装置は、低コヒーレンス光を二分して一方を眼底に照射し、その後方散乱光を他方の光と干渉させてＣＣＤイメージセンサ等で受光して眼底画像の画像データＧを取得する装置である。光コヒーレンストモグラフィ装置としては、フーリエドメイン（Ｆｏｕｒｉｅｒ  Ｄｏｍａｉｎ；Ｆｒｅｑｕｅｎｃｙ  Ｄｏｍａｉｎなどとも呼ばれる）方式やタイムドメイン（Ｔｉｍｅ  Ｄｏｍａｉｎ）方式やスウェプトソース（Ｓｗｅｐｔ  Ｓｏｕｒｃｅ）方式などの任意の方式の装置を用いることができる（たとえば特開２００６−１８４２８４号公報を参照）。
【００６７】
走査型レーザ検眼鏡（Ｓｃａｎｎｉｎｇ  Ｌａｓｅｒ  Ｏｐｈｔｈａｌｍｏｓｃｏｐｅ；ＳＬＯ）は、光ビームを走査して眼底に照射し、その所定部位での反射光や蛍光をＣＣＤ等で受光して眼底画像の画像データＧを取得する装置である（たとえば特開平１１−１９７１０９号公報参照）。
【００６８】
眼底画像の画像データＧは、撮影対象の患者の患者ＩＤや患者氏名等の患者情報、撮影日時、撮影倍率や左右眼の別等の各種撮影条件などの情報に関連付けられて眼科画像データベース２０００に保存される。眼底画像処理装置１のオペレータは、患者ＩＤや患者名等を指定することで所望の患者の所望の眼底画像を読み出して観察することができる。
【００６９】
眼底画像がモノクロ画像の場合、眼底画像の画像データＧは、その眼底画像を形成する画素の座標値と、各画素の輝度値とを関連付けたデータである。また、眼底画像がカラー画像の場合、画像データＧは、その眼底画像を形成する画素の座標値と、各画素のＲＧＢ値（Ｒ値、Ｇ値、Ｂ値）とを関連付けたデータである。
【００７０】
なお、この発明に係る眼底画像処理装置は、眼科画像データベース２０００に保存された撮影画像を読み出す構成に限定されるものではなく、たとえば、眼底撮影装置１０００により撮影された画像を直接に受け付けるものであってもよい。また、この発明に係る眼底画像処理装置は、ＣＤ−ＲやＤＶＤ−Ｒ等のメディア（記録媒体）に記録された画像データＧを読み取るドライブ装置を備えていてもよい。
【００７１】
また、眼底画像の画像データＧは、特願２００５−２１７８７６に記載されるような、眼底画像の画像データの輝度値に基づいて生成される（擬似的な）３次元の眼底画像の画像データであってもよい。この３次元の眼底画像の画像データは、眼底撮影装置１０００によって生成してもよいし、眼底画像処理装置１によって生成してもよい。
【００７２】
〔ハードウェア構成〕
まず、この実施形態に係る眼底画像処理装置１のハードウェア構成を説明する。眼底画像処理装置１は、たとえば汎用のコンピュータを含んで構成されている。眼底画像処理装置１は、図２に示すように、マイクロプロセッサ２００、ＲＡＭ２０１、不揮発性記憶装置２０２、ディスプレイ２０３、キーボード２０４、マウス２０５及び通信インターフェイス（Ｉ／Ｆ）２０６を含んで構成されている。
【００７３】
マイクロプロセッサ２００は、各種の演算処理や制御処理を実行するＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）などの任意のマイクロプロセッサにより構成される。
【００７４】
ＲＡＭ（Ｒａｎｄｏｍ  Ａｃｃｅｓｓ  Ｍｅｍｏｒｙ）２０１は、揮発性記憶装置であり、マイクロプロセッサ２００によって実行中のプログラムやデータが展開される。
【００７５】
不揮発性記憶装置２０２は、ハードディスクドライブ（Ｈａｒｄ  Ｄｉｓｋ  Ｄｒｉｖｅ）やＲＯＭ（Ｒｅａｄ  Ｏｎｌｙ  Ｍｅｍｏｒｙ）等の記憶装置（外部記憶装置）を含んで構成される。不揮発性記憶装置２０２には、プログラムＰがあらかじめ格納されている。マイクロプロセッサ２００は、このプログラムＰをＲＡＭ２０１上に展開することにより、この実施形態に特徴的な処理を実行する。また、不揮発性記憶装置２０２（特にハードディスクドライブ）には、眼科画像データベース２０００から受け付けた眼底画像の画像データＧが記憶される。プログラムＰは、この発明の「プログラム」の一例に相当するものである。
【００７６】
なお、眼底画像処理装置１を構成するコンピュータが、クライアントサーバシステム（Ｃｌｉａｎｔ−Ｓｅｒｖｅｒ  Ｓｙｓｔｅｍ）のクライアントを構成する場合、プログラムＰをサーバに格納しておき、それを適宜呼び出して処理を実行するようにしてもよい。
【００７７】
また、眼底画像処理装置１は、通常のコンピュータと同様に、ディスプレイ２０３、キーボード２０４、マウス２０５を備えている。
【００７８】
ディスプレイ２０３は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）ディスプレイ等の任意の表示デバイスによって構成される。ディスプレイ２０３は、図１に示す表示部１４１を構成している。表示部１４１は、この発明の「表示手段」の一例に相当するものである。
【００７９】
キーボード２０４やマウス２０５は、ディスプレイ２０３に表示された画像や画面等の情報に基づいて各種の情報を入力するための入力デバイスとして用いられるとともに、所望の操作の実行を指示するための操作デバイスとして用いられる。キーボード２０４やマウス２０５は、図１に示す操作部１４２を構成している。なお、操作部１４２は、キーボードやマウスに限定されるものではなく、トラックボール、ジョイスティック、専用のコントロールパネルなどを含んでいてもよい。操作部１４２は、この発明の「操作手段」の一例に相当するものである。
【００８０】
通信インターフェイス２０６は、ＬＡＮ等の通信回線を介して眼科画像データベース２０００などの他の装置とデータ通信を行うものである。通信インターフェイス２０６は、たとえばＬＡＮカード等のネットワークアダプタを含んで構成される。また、インターネット等のＷＡＮ（Ｗｉｄｅ  Ａｒｅａ  Ｎｅｔｗｏｒｋ）に接続可能とする場合には、そのためのモデム等の通信機器を通信インターフェイス２０６に設ける。
【００８１】
〔制御系の構成〕
次に、眼底画像処理装置１の制御系の構成について図１を参照しつつ説明する。眼底画像処理装置１には、制御部１０、画像受付部１１、画像記憶部１２、画像解析部１３及びユーザインターフェイス１４が設けられている。
【００８２】
（制御部）
制御部１０は、眼底画像処理装置１の制御系の中枢として機能する。制御部１０は、プログラムＰに基づいて動作するマイクロプロセッサ２００を含んで構成されている。制御部１０は、眼底画像処理装置１の各部の動作制御や、各種の演算処理などを行う。これらの処理の内容については後述する。制御部１０は、この発明の「制御手段」の一例として機能するものである。
【００８３】
制御部１０には、位置特定部１０１と表示制御部１０２が設けられている。位置特定部１０１は、眼底画像上の位置と、前述のＲ／Ｄ比のグラフ情報中の情報の位置との関連付けを行う。すなわち、位置特定部１０１は、眼底画像上の位置が指定されると、この指定位置に対応するグラフ情報中の情報を特定する。また、グラフ情報中の情報が指定されると、この指定された情報に対応する眼底画像上の位置を特定する。
【００８４】
表示制御部１０２は、各種の表示画面や眼底画像や情報を表示部１４１（ディスプレイ２０３）に表示させる。特に、表示制御部１０２は、位置特定部１０１により特定された位置の表示態様を変更するなどの処理を実行する。なお、位置特定部１０１や表示制御部１０２の具体的な処理内容については後述する。
【００８５】
（画像受付部）
画像受付部１１は、たとえば眼底画像処理装置１のオペレータにより指定された患者ＩＤや撮影日時等の情報を眼科画像データベース２０００に送信するとともに、この情報に基づいて眼科画像データベース２０００から送信される眼底画像の画像データＧを受信して制御部１０に入力する。制御部１０は、画像受付部１１から入力された画像データＧを画像記憶部１２に記憶させる。画像受付部１１は、通信インターフェイス２０６を含んで構成される。
【００８６】
なお、前述したように眼底撮影装置１０００から直接に画像データＧを受け付ける場合、画像受付部１１は、眼底撮影装置１０００との接続インターフェイスを含んで構成される。
【００８７】
（画像記憶部）
画像記憶部１２は、眼底画像の画像データＧを記憶するものであり、不揮発性記憶装置２０２（特にハードディスクドライブ）を含んで構成される。画像記憶部１２に対する画像データＧの書き込み処理や、画像記憶部１２に記憶された画像データＧの読み出し処理は、制御部１０が行う。
【００８８】
（画像解析部）
画像解析部１３は、眼底画像の画像データＧに基づく各種の解析処理を行うもので、マイクロプロセッサ２００等を含んで構成される。画像解析部１３は、この発明の「解析手段」の一例に相当する。画像解析部１３には、Ｒ／Ｄ比演算部１３１、平均値演算部１３２、Ｃ／Ｄ比演算部１３３、面積演算部１３４及び面積比演算部１３５が設けられている。以下、これらの各部１３１〜１３５について説明する。
【００８９】
（Ｒ／Ｄ比演算部）
Ｒ／Ｄ比演算部１３１は、眼底画像の画像データＧを解析してＲ／Ｄ比の値を求める。Ｒ／Ｄ比演算部１３１の処理についてより具体的に説明する。Ｒ／Ｄ比を演算するためには、前述のように、眼底画像中における視神経乳頭に相当する領域（視神経乳頭領域）の外縁と、リムに相当する領域（リム領域）とが決定されている必要がある。なお、リム領域は、視神経乳頭領域の外縁と陥凹領域の外縁とに挟まれた領域として定義されるので、視神経乳頭領域の外縁と陥凹領域の外縁とが決定されている必要がある。これらの条件の決定方法については後述する。
【００９０】
ここで図３を参照する。図３には、画像データＧに基づく眼底画像（同じく符号Ｇで表現する）の一例が示されている。符号Ｄは視神経乳頭領域の外縁を示し、符号Ｃは陥凹領域の外縁を示す。符号Ｏは視神経乳頭領域の中心位置を示す。なお、中心位置Ｏは、視神経乳頭領域の外縁が円形、楕円形、それ以外の場合について、それぞれ円の中心位置、楕円の中心位置（長軸と短軸との交差位置）、重心位置として定義することができる。
【００９１】
Ｒ／Ｄ比演算部１３１は、中心位置Ｏを通過する直線を所定の角度間隔で計測部位を設定する。その一例として、Ｒ／Ｄ比演算部１３１は、５度間隔で７２の計測部位を設定する：たとえば眼底画像Ｇの左方を０度として時計回りに０度、５度、１０度、・・・、３４５度、３５０度、３５５度の方向をそれぞれ計測部位とする。各計測部位をｉ＝１〜７２とする。
【００９２】
次に、Ｒ／Ｄ比演算部１３１は、各計測部位ｉについて、リム領域の幅φＲ（ｉ）と、視神経乳頭領域の外縁Ｄの径（視神経乳頭径）φＤ（ｉ）とを求める。この処理の具体例を説明する。第１の例としては、リム領域の幅方向に並ぶピクセルの個数を取得し、この個数に１ピクセル辺りの距離（既知とする）を乗算することによりφＲ（ｉ）を演算することができる。また、第２の例として、眼底画像Ｇ上にあらかじめ距離（メトリック；ｍｅｔｒｉｃ）が設定されている場合においては、このメトリックを用いてリム領域の幅を求めることができる。視神経乳頭径φＤ（ｉ）についても同様に演算することができる。
【００９３】
続いて、Ｒ／Ｄ比演算部１３１は、各計測部位ｉについて、リム領域の幅φＲ（ｉ）を視神経乳頭径φＤ（ｉ）で除算することによりＲ／Ｄ比を算出する：計測部位ｉにおけるＲ／Ｄ比Ｒ／Ｄ（ｉ）＝φＲ（ｉ）／φＤ（ｉ）。それにより、複数個（ここでは７２個）のＲ／Ｄ比の値が得られる。
【００９４】
（平均値演算部）
平均値演算部１３２は、Ｒ／Ｄ比演算部１３１により得られた複数個のＲ／Ｄ比Ｒ／Ｄ（ｉ）の値のうちの２つ以上の値の平均値を演算する。演算対象となる平均値としては、たとえば、視神経乳頭領域の１１時〜１時に相当する範囲に含まれる計測部位（ｉ＝１３〜２５）におけるＲ／Ｄ比の平均値や、５時〜７時に相当する範囲に含まれる計測部位（ｉ＝４９〜６１）におけるＲ／Ｄ比の平均値など、Ｒ／Ｄ比を用いた診断において重視される領域について演算される。また、眼底画像処理装置１のオペレータが手作業で指定した範囲に含まれる計測部位について平均値を演算するようにしてもよい。
【００９５】
（Ｃ／Ｄ比演算部）
Ｃ／Ｄ比演算部１３３は、眼底画像の画像データＧを解析してＣ／Ｄ比の値を求める。Ｃ／Ｄ比演算部１３３の処理についてより具体的に説明する。Ｃ／Ｄ比を演算するためには、前述のように、眼底画像中における視神経乳頭領域の外縁と陥凹領域の外縁とが決定されている必要がある。これらの条件の決定方法については後述する。
【００９６】
ここで図４、図５を参照する。まず、図４を参照してＣ／Ｄ比の第１の演算方法を説明する。この第１の演算方法は、陥凹領域の外縁Ｃの最大径ΨＣ（ｖ）と、視神経乳頭領域の外縁Ｄの最大径ΨＤ（ｖ）とを求め、これらの比をＣ／Ｄ比として定義するものであるＣ／Ｄ（ｖ１）＝ΨＣ（ｖ）／ΨＤ（ｖ）。ここで、各最大径ΨＣ（ｖ）、ΨＤ（ｖ）は、垂直方向（ｖｅｒｔｉｃａｌ  ｄｉｒｅｃｔｉｏｎ）における最大径を表している。最大径ΨＤ（ｖ）は、視神経乳頭領域の外縁Ｄの中心位置Ｏを通過している（外縁の形状が円、楕円、又は左右対称の場合）。
【００９７】
次に、図５を参照してＣ／Ｄ比の第２の演算方法を説明する。この第２の演算方法は、陥凹領域の外縁Ｃの最大径ΨＣ（ｖ）と、この最大径ΨＣ（ｖ）の計測部位を通過する視神経乳頭領域の外縁Ｄの径ΩＤ（ｖ）とを求め、これらの比をＣ／Ｄ比として定義するものであるＣ／Ｄ（ｖ２）＝ΨＣ（ｖ）／ΩＤ（ｖ）。ここで、最大径ΨＣ（ｖ）と径ΩＤ（ｖ）は、それぞれ垂直方向における径を表している。最大径ΩＤ（ｖ）は、一般に、視神経乳頭領域の外縁Ｄの中心位置Ｏを通過するものではない。
【００９８】
以上では、垂直方向におけるＣ／Ｄ値（つまり垂直Ｃ／Ｄ比）Ｃ／Ｄ（ｖ１）、Ｃ／Ｄ（ｖ２）を定義したが、水平方向（ｈｏｒｉｚｏｎｔａｌ  ｄｉｒｅｃｔｉｏｎ）におけるＣ／Ｄ比（つまり水平Ｃ／Ｄ比）も同様に定義できる：Ｃ／Ｄ（ｈ１）＝ΨＣ（ｈ）／ΨＤ（ｈ）；Ｃ／Ｄ（ｈ２）＝ΨＣ（ｈ）／ΩＤ（ｈ）。
【００９９】
（面積演算部）
面積演算部１３４は、眼底画像の画像データＧを解析して視神経乳頭領域の面積Ｓ（Ｄ）とリム領域の面積Ｓ（Ｒ）とを演算する。また、面積演算部１３４は、陥凹領域の面積Ｓ（Ｃ）を演算する。ここで、視神経乳頭領域の面積Ｓ（Ｄ）は、視神経乳頭領域の外縁Ｄにより囲まれた領域の面積である。また、陥凹領域の面積Ｓ（Ｃ）は、陥凹領域の外縁Ｃにより囲まれた領域の面積である。また、リム領域の面積Ｓ（Ｒ）は、視神経乳頭の面積Ｓ（Ｄ）から陥凹領域の面積Ｓ（Ｃ）を減算して得られる面積である：Ｓ（Ｒ）＝Ｓ（Ｄ）−Ｓ（Ｃ）。
【０１００】
面積Ｓ（Ｄ）、Ｓ（Ｃ）、Ｓ（Ｒ）の演算方法の具体例を説明する。第１の演算方法としては、グリーンの定理（Ｇｒｅｅｎ’ｓ  ｔｈｅｏｒｅｍ）を用いる方法がある。グリーンの定理は、閉曲線で囲まれた領域の面積を求めるために広く用いられている公式である。また、第２の演算方法としては、面積計測対象領域に含まれるピクセル数を数え、このピクセル数に１ピクセル当たりの面積（既知とする）を乗算することにより面積を求めることができる。
【０１０１】
（面積比演算部）
面積比演算部１３５は、面積演算部１３４により求められた面積Ｓ（Ｄ）、Ｓ（Ｃ）、Ｓ（Ｒ）に基づいて、所定の面積比を演算する。演算対象となる面積比は、たとえば、リム領域と視神経乳頭領域との面積比（Ｒ／Ｄ面積比）Ｓ（Ｒ／Ｄ）＝Ｓ（Ｒ）／Ｓ（Ｄ）と、陥凹領域と視神経乳頭領域との面積比（Ｃ／Ｄ面積比）Ｓ（Ｃ／Ｄ）＝Ｓ（Ｃ）／Ｓ（Ｄ）である。
【０１０２】
（ユーザインターフェイス）
ユーザインターフェイス１４は、眼底画像処理装置１のユーザインターフェイス（Ｕｓｅｒ  Ｉｎｔｅｒｆａｃｅ）である。ユーザインターフェイス１４には、前述の表示部１４１及び操作部１４２が設けられている。なお、この実施形態では表示手段と操作手段とを別々に構成しているが、これらを一体化したタッチパネルディスプレイ等のユーザインターフェイスを適用することも可能である。
【０１０３】
［使用形態］
以上のような構成を有する眼底画像処理装置１の使用形態を説明する。図６に示すフローチャートは、眼底画像処理装置１の使用形態の一例を表している。図７〜図１４は、この使用形態において表示される表示画面の一例を表している。なお、これらの表示画面の表示処理は、表示制御部１０２が行う。
【０１０４】
（ステップ１：患者の選択）
まず、オペレータは、所定の操作を行って、図７に示すメニュー画面３０００を表示部１４１に表示させる。マウス２０５を操作して患者ボタン３００１をクリックすると、図８に示す患者リスト画面３１００が表示される。患者リスト画面３１００の患者リスト表示部３１０１には、患者ＩＤのリストが表示される。オペレータは、マウス２０５によってスクロールバーや前ボタン３１０２や次ボタン３１０３などを操作して、所望の患者ＩＤをクリックして選択する。そして患者選択ボタン３１０４をクリックすることにより、選択した患者（ＩＤ）を確定する。
【０１０５】
（ステップ２：眼底画像の選択）
患者の選択がなされると、表示制御部１０２は、この患者について過去に取得された眼底画像のリスト（眼底画像リスト画面；図示せず）を表示させる。この眼底画像リスト画面としては、眼底画像のサムネイル等の縮小画面を並べて表示するものや、眼底画像の撮影日等をリスト表示するものや、眼底画像をスライドショー方式で順次に表示するものなど、眼底画像を選択可能な任意の表示形態を採用することができる。また、眼底画像とともに検査日時や左右眼の別など、眼底画像に付帯される各種の情報をともに表示させることができる。
【０１０６】
オペレータは、操作部１４２を操作して所望の眼底画像を選択する。眼底画像が選択されると、オペレータは、たとえば図７のメニュー画面３０００の３Ｄボタン３００２をクリックする。３Ｄボタン３００２は、立体眼底カメラによって撮影された眼底画像を観察するときに操作されるものである。以下、立体眼底カメラで撮影された眼底画像の画像データＧを用いる場合について説明する。なお、それ以外の眼底撮影装置１０００により得られた画像データを用いる場合については、画像データＧが左右一対存在することの他は同様に処理することができる。
【０１０７】
（ステップ３：眼球光学値の設定）
眼底画像が選択されると、図９に示す眼球光学値設定画面３２００が表示される。補正モード設定部３２０１には、眼球光学補正のモード選択を行うためのリストが表示されている。ここでは、模型眼の眼球光学値を用いたモード（Ｍｏｄｅ  １）と、当該被検眼の眼球光学値を用いるモード（Ｍｏｄｅ  ２）と、当該被検眼の屈折力のみを用いるモードとが表示されている。オペレータは、マウス２０５を操作して所望のモードを選択する。
【０１０８】
模型眼の眼球光学値を用いたモードが選択されると、あらかじめ記憶されている模型眼の眼球光学値が自動的に設定される。ここで設定される眼球光学値は、たとえばＧｕｌｌｓｔｒａｎｄ模型眼の標準値である：屈折力＝０（Ｄ）、角膜の曲率半径＝７．７（ｍｍ）、眼軸長＝２４．３８（ｍｍ）。
【０１０９】
また、当該被検眼の眼球光学値を用いるモードが選択されると、図９に示す眼球光学値入力部３２０２が眼球光学値設定画面３２００中に表示される。眼球光学値入力部３２０２には、屈折力を入力するための入力スペースと、補正レンズの有無を選択するチェックボックスと、角膜の曲率半径を入力するための入力スペースと、眼軸長を入力するための入力スペースとが設けられている。オペレータは、キーボード２０４やマウス２０５を操作してこれらの値の入力等を行う。
【０１１０】
また、当該被検眼の屈折力のみを用いるモードが選択されると、図１０に示す眼球光学値入力部３２０２が眼球光学値設定画面３２００中に表示される。この眼球光学値入力部３２０２では、曲率半径の入力スペースと眼軸長の入力スペースとが無効（つまり入力を受け付けない状態）になっている。オペレータは、オペレータは、キーボード２０４やマウス２０５を操作して、屈折力の入力及び補正レンズの有無の選択を行う。
【０１１１】
オペレータは、図９、図１０に示すＯＫボタン３２０３をクリックして、使用する眼球光学値を確定する。ＯＫボタン３２０３がクリックされると、そのときの眼球光学値が補正用の値として設定される。
【０１１２】
なお、当該被検眼の眼球光学値を用いるモードや屈折力のみを用いるモードが選択された場合において必要な値が入力されずにＯＫボタン３２０３がクリックされたときには、表示制御部１０２は、必要な値の入力を指示するメッセージが記載されたダイアログをポップアップ表示させる。それにより、必要な値を確実に入力させることができ、また場合によってはモードの変更を行うことができる。
【０１１３】
（ステップ４：左右の眼底画像の位置合わせ）
眼球光学値の設定が終了すると、３次元眼底画像の左右の眼底画像の位置合わせを行う。なお、このステップ４は、３次元の眼底画像を用いる場合にのみ必要である。
【０１１４】
眼球光学系の設定が終了すると、図１１に示す眼底画像位置合わせ画面３３００が表示される。眼底画像位置合わせ画面３３００は、３次元眼底画像の左右の眼底画像の位置合わせを行うための画面である。
【０１１５】
眼底画像位置合わせ画面３３００には、立体眼底カメラの左側の光学系により撮影された眼底画像ＧＬと、右側の光学系により撮影された眼底画像ＧＲとが並んで表示される。オペレータは、左右の眼底画像ＧＬ、ＧＲのそれぞれに、位置合わせ用の枠ＦＬ、ＦＲをそれぞれ入力する。各枠ＦＬ、ＦＲの位置やサイズは、たとえば、マウス２０５のドラッグ操作によって調整するようになっている。
【０１１６】
なお、枠ＦＬ、ＦＲは、それぞれ眼底画像ＧＬ、ＧＲ中の視神経乳頭に相当する領域を含むようにして設定される。枠ＦＬ、ＦＲの設定が完了したら、オペレータは、ＯＫボタン３３０１をクリックして枠ＦＬ、ＦＲを確定する。
【０１１７】
（ステップ５：視神経乳頭領域の指定）
ＯＫボタン３３０１がクリックされると、表示制御部１０２は、枠ＦＬ、ＦＲにより囲まれた画像領域を左右の眼底画像ＧＬ、ＧＲからそれぞれ抽出する。左右の眼底画像ＧＬ、ＧＲから抽出された画像領域を、同じく眼底画像ＧＬ、ＧＲで表すことにする。
【０１１８】
表示制御部１０２は、抽出された左右の眼底画像ＧＬ、ＧＲを表示部１４１に立体視可能な態様で表示させる。この立体視可能な表示態様としては、たとえば次のようなものがある。
【０１１９】
まず、オペレータが立体視用の眼鏡を掛けるとともに、左右の眼底画像ＧＬ、ＧＲを所定の時間間隔で交互に切り替え表示させる手法がある。立体視用の眼鏡は、オペレータの左右の視野を所定の時間間隔で交互に遮蔽するように動作する。この遮蔽動作は、たとえば偏光を利用した構成や、液晶シャッタを利用した構成により実現することが可能である。左右の眼底画像ＧＬ、ＧＲの切り替え間隔と、左右の視野の遮蔽の切り替え間隔とは、一致されている（同期されている）。すなわち、表示部１４１に左側の眼底画像ＧＬが表示されているときには右の視野が遮蔽され、右の眼底画像ＧＲが表示されているときには左の視野が遮蔽される。なお、左右の切り替え間隔は、十分に短く設定されている。それにより、オペレータは、左眼のみで左側の眼底画像ＧＬを視認し、右目のみで右側の眼底画像ＧＲを視認するとともに、左右が十分に速い速度で切り替えられることとなるので、結果としてオペレータは当該眼底を立体的に把握することができる。
【０１２０】
また、画像を立体視可能に表示する汎用のディスプレイを用いることも可能である。
【０１２１】
オペレータは、必要に応じ、たとえばマウス２０５のドラッグ操作により、視神経乳頭に相当する画像領域が画面の中心付近に位置するように眼底画像ＧＬ、ＧＲの表示位置を移動させる。
【０１２２】
このように眼底画像ＧＬ、ＧＲを立体視した状態において、オペレータは、操作部１４２を操作して視神経乳頭領域を指定する。図１２に示す眼底画像表示画面３４００中の符号Ｄは、立体的な眼底画像ＧＬＲ上に指定された視神経乳頭領域（の外縁）を表している。
【０１２３】
視神経乳頭領域Ｄの指定態様の具体例を説明する。オペレータは、眼底画像ＧＬＲを観察しつつ視神経乳頭の外縁に相当する位置を見つけ、その位置上にマウス２０５のクリック動作により複数の点を入力する。制御部１０は、入力された複数の点ないしその近傍位置を通過する楕円の式を演算する。表示制御部１０２は、この楕円を眼底画像ＧＬＲ上（たとえば各眼底画像ＧＬ、ＧＲ上）に表示させる。図１２の視神経乳頭領域Ｄは、この楕円を示している。
【０１２４】
なお、視神経乳頭領域Ｄの指定態様はこれに限定されるものではない。たとえば、視神経乳頭の外縁に相当する位置上に入力された複数の点を通過する閉曲線を求めて表示するようにしてもよい。この閉曲線は、任意の位置において微分可能な曲線であってもよいし、或る位置において微分不可能な曲線であってもよい。具体的には、スプライン（Ｓｐｌｉｎｅ）曲線やベジェ（Ｂｅｚｉｅｒ）曲線などを利用することができる。
【０１２５】
（ステップ６：陥凹領域の指定）
視神経乳頭領域Ｄの指定が終了したら、オペレータは、視神経乳頭領域Ｄ内に陥凹領域を指定する。陥凹領域の指定は、視神経乳頭領域Ｄと同様の操作によって行うことができる。
【０１２６】
図１２に示す陥凹領域Ｃは、楕円で近似する視神経乳頭領域Ｄと異なり、オペレータが入力した複数の点を通過する滑らかな閉曲線によって表されている。なお、陥凹領域についても近似楕円を用いることができるが、陥凹領域の形状をより正確に反映させるためには図１２に示す手法が望ましいと考えられる。
【０１２７】
なお、眼底画像ＧＬＲ（眼底画像ＧＬ、ＧＲ）には、２次元座標系（ｘｙ座標系）があらかじめ設定されている。制御部１０は、ステップ５で指定された視神経乳頭領域Ｄの座標値を取得するとともに、ステップ６で指定された陥凹領域Ｃの座標値を取得するようになっている。
【０１２８】
（ステップ７：Ｃ／Ｄ比の算出）
眼底画像ＧＬＲに視神経乳頭領域Ｄと陥凹領域Ｃが指定されると、画像解析部１３のＣ／Ｄ比演算部１３３は、前述のようにして、垂直Ｃ／Ｄ比Ｃ／Ｄ（ｖ１）、Ｃ／Ｄ（ｖ２）と、水平Ｃ／Ｄ比Ｃ／Ｄ（ｈ１）、Ｃ／Ｄ（ｈ２）とをそれぞれ算出する。
【０１２９】
（ステップ８：Ｒ／Ｄ比の算出）
更に、画像解析部１３のＲ／Ｄ比演算部１３１は、前述のようにして複数個（たとえば５度間隔の７２個）のＲ／Ｄ比Ｒ／Ｄ（ｉ）を算出する。
【０１３０】
また、平均値演算部１３２は、視神経乳頭領域Ｄの５時〜７時に相当する範囲に含まれる計測部位におけるＲ／Ｄ比の平均値と、１１時〜１時に相当する範囲に含まれる計測部位におけるＲ／Ｄ比の平均値とを演算する。
【０１３１】
（ステップ９：面積及び面積比の算出）
また、画像解析部１３の面積演算部１３４は、前述のようにして視神経乳頭領域の面積Ｓ（Ｄ）、陥凹領域の面積Ｓ（Ｃ）、リム領域の面積Ｓ（Ｒ）を演算する。
【０１３２】
更に、面積比演算部１３５は、これらの面積Ｓ（Ｄ）、Ｓ（Ｃ）、Ｓ（Ｒ）に基づき、前述のようにしてＣ／Ｄ面積比Ｓ（Ｃ／Ｄ）と、Ｒ／Ｄ面積比Ｓ（Ｒ／Ｄ）とを演算する。
【０１３３】
（ステップ１０：計測結果の表示）
表示制御部１０２は、ステップ７にて算出されたＣ／Ｄ（ｖ１）、Ｃ／Ｄ（ｖ２）、Ｃ／Ｄ（ｈ１）、Ｃ／Ｄ（ｈ２）と、ステップ８にて算出されたＲ／Ｄ（ｉ）と、ステップ１０にて算出された面積Ｓ（Ｄ）、Ｓ（Ｃ）、Ｓ（Ｒ）及び面積比Ｓ（Ｃ／Ｄ）、Ｓ（Ｒ／Ｄ）とを表示する。
【０１３４】
図１３に示す計測結果表示画面３５００は、これらの値を眼底画像ＧＬＲとともに表示する画面の一例を表している。計測結果表示画面３５００の下部には、各種の処理を行うための操作ボタン３５３０が複数設けられている。オペレータは、所望の操作ボタンを選択的にクリックすることにより所望の操作を行うことができる。
【０１３５】
計測結果表示画面３５００中の符号Ｄ（ｉ）は、或るｉ（たとえばｉ＝１〜７２）についての視神経乳頭径を表し、符号Ｒ（ｉ）は、このｉにおけるリム領域の幅を表している。視神経乳頭径Ｄ（ｉ）の長さは、前述の視神経乳頭径φＤ（ｉ）に相当する（図３参照）。また、リム領域の幅Ｒ（ｉ）の長さは、前述のリム領域の幅φＲ（ｉ）に相当する。したがって、リム領域の幅Ｒ（ｉ）の長さと、視神経乳頭径Ｄ（ｉ）の長さとの比は、このｉにおけるＲ／Ｄ比Ｒ／Ｄ（ｉ）に相当する。
【０１３６】
符号Ｃ（ｖ）は、垂直方向における陥凹領域Ｃの最大径を表し、符号Ｄ（Ｖ）は、垂直方向における視神経乳頭領域Ｄの最大径を表している。陥凹領域Ｃの垂直方向の最大径Ｃ（ｖ）の長さは、前述の陥凹領域の（外縁の）最大径ΨＣ（ｖ）に相当する（図４参照）。また、視神経乳頭領域Ｄの垂直方向の最大径Ｄ（Ｖ）の長さは、前述の視神経乳頭領域の（外縁の）最大径ΨＤ（ｖ）に相当する。したがって、陥凹領域Ｃの最大径Ｃ（ｖ）の長さと、視神経乳頭領域Ｄの最大径Ｄ（Ｖ）の長さとの比は、垂直方向の第１のＣ／Ｄ比Ｃ／Ｄ（ｖ１）に相当する。
【０１３７】
更に、符号Ｄ（ｖ）は、陥凹領域Ｃの垂直方向の最大径Ｃ（ｖ）を通過する視神経乳頭領域Ｄの垂直方向の径を表している。この径Ｄ（ｖ）の長さは、前述の視神経乳領域の（外縁の）径ΩＤ（ｖ）に相当する。したがって、陥凹領域Ｃの最大径Ｃ（ｖ）の長さと、視神経乳頭領域Ｄの径Ｄ（ｖ）の長さとの比は、垂直方向の第２のＣ／Ｄ比Ｃ／Ｄ（ｖ２）に相当する。
【０１３８】
符号Ｃ（ｈ）は、水平方向における陥凹領域Ｃの最大径を表し、符号Ｄ（Ｈ）は、水平方向における視神経乳頭領域Ｄの最大径を表している。陥凹領域Ｃの水平方向の最大径Ｃ（ｈ）の長さは、前述の陥凹領域の（外縁の）最大径ΨＣ（ｈ）に相当する。また、視神経乳頭領域Ｄの水平方向の最大径Ｄ（Ｈ）の長さは、前述の視神経乳頭領域の（外縁の）最大径ΨＤ（ｈ）に相当する。したがって、陥凹領域Ｃの最大径Ｃ（ｈ）の長さと、視神経乳頭領域Ｄの最大径Ｄ（Ｈ）の長さとの比は、水平方向の第１のＣ／Ｄ比Ｃ／Ｄ（ｈ１）に相当する。
【０１３９】
更に、符号Ｄ（ｈ）は、陥凹領域Ｃの水平方向の最大径Ｃ（ｈ）を通過する視神経乳頭領域Ｄの水平方向の径を表している。この径Ｄ（ｈ）の長さは、前述の視神経乳領域の（外縁の）径ΩＤ（ｈ）に相当する。したがって、陥凹領域Ｃの最大径Ｃ（ｈ）の長さと、視神経乳頭領域Ｄの径Ｄ（ｈ）の長さとの比は、水平方向の第２のＣ／Ｄ比Ｃ／Ｄ（ｈ２）に相当する。
【０１４０】
計測結果表示画面３５００の眼底画像ＧＬＲ上には、視神経乳頭領域の外縁Ｄを表す画像（乳頭外縁画像）や陥凹領域の外縁Ｃを表す画像（陥凹外縁画像）とともに、リム領域の幅Ｒ（ｉ）を表す画像や、径Ｄ（ｉ）、Ｄ（ｖ）、Ｄ（Ｖ）、Ｄ（ｈ）、Ｄ（Ｈ）、Ｃ（ｖ）、Ｃ（ｈ）のうちの少なくともいずれかを表す画像（線状の画像）などが表示される。
【０１４１】
計測結果表示画面３５００の計測値表示部３５１０には、ステップ３にて入力された眼球光学値や、ステップ７〜９の演算処理にて算出された計測値などが表示される。具体的に説明すると、計測値表示部３５１０には、次のような情報が表示される：当該被検眼の屈折力（Ｒｅｆｒａｃｔｉｖｅ  Ｅｒｒｏｒ［Ｄ］）、平均角膜曲率（Ｍｅａｎ  Ｃｏｒｎｅａｌ  Ｃｕｒｖａｔｕｒｅ［ｍｍ］）、眼軸長（Ａｘｉａｌ  Ｌｅｎｇｔｈ［ｍｍ］）、視神経乳頭領域Ｄの面積（Ｄｉｓｃ  Ａｒｅａ［ｍｍ２］）、陥凹領域Ｃの面積（Ｃｕｐ  Ａｒｅａ［ｍｍ２］）、リム領域の面積（Ｒｉｍ  Ａｒｅａ［ｍｍ２］）、陥凹領域Ｃと視神経乳頭領域Ｄとの面積比（Ｃ／Ｄ  Ａｒｅａ  Ｒａｔｉｏ）、リム領域と視神経乳頭領域Ｄとの面積比（Ｒ／Ｄ  Ａｒｅａ  Ｒａｔｉｏ）、第１の垂直Ｃ／Ｄ比（Ｖｅｒｔｉｃａｌ  Ｃ／Ｄ  Ｒａｔｉｏ  １）、第２の垂直Ｃ／Ｄ比（Ｖｅｒｔｉｃａｌ  Ｃ／Ｄ  Ｒａｔｉｏ  ２）、第１の水平Ｃ／Ｄ比（Ｈｏｒｉｚｏｎｔａｌ  Ｃ／Ｄ  Ｒａｔｉｏ  １）、第２の水平Ｃ／Ｄ比（Ｈｏｒｉｚｏｎｔａｌ  Ｃ／Ｄ  Ｒａｔｉｏ  ２）。
【０１４２】
また、計測値表示部３５１０の「Ｒ／Ｄ  Ｒａｔｉｏ」の欄には、ステップＳ８にて算出された複数のＲ／Ｄ比Ｒ／Ｄ（ｉ）のうちのいずれかの値が表示される。このＲ／Ｄ値の表示態様の一例を説明する。まず、オペレータは、マウス２０５のクリック操作などにより、視神経乳頭領域Ｄ内の所望の位置を指定する。制御部１０の位置特定部１０１は、指定された位置に最も近いＲ／Ｄ比の計測位置（角度）を特定する。表示制御部１０２は、特定された計測位置を示す画像（線状の画像）を眼底画像ＧＬＲ上に表示させる。また、表示制御部１０２は、特定された計測位置におけるＲ／Ｄ比の計測結果Ｒ／Ｄ（ｉ）をＲ／Ｄ比演算部１３１から取得し、計測値表示部３５１０に表示させる。このような表示態様によれば、オペレータが任意に指定した位置に最も近い計測位置におけるＲ／Ｄ比の値を容易に把握することができる。
【０１４３】
また、オペレータが、マウス２０５のクリック操作などにより、後述のＲ／Ｄ比グラフ３５２０のうちの所望のヒストグラムを指定すると、制御部１０は、上記と同様にして、指定されたヒストグラムに対応するＲ／Ｄ比の値を計測値表示部３５１０に表示させる。なお、後述のように各ヒストグラムの横にＲ／Ｄ比の値を表示させる場合には、この機能は無くてもよい。
【０１４４】
次に、複数のＲ／Ｄ比Ｒ／Ｄ（ｉ）の値を表すグラフ情報の表示態様について説明する。計測結果表示画面３５００のＲ／Ｄ比グラフ３５２０は、ステップ８にて算出された各Ｒ／Ｄ比Ｒ／Ｄ（ｉ）をヒストグラム化して並べて表示させたものである。
【０１４５】
各ヒストグラムの横に表示される文字列について説明する（最上段のヒストグラムについてのみ説明する。）。文字列「＠０００」は、このヒストグラムが角度０度の位置（左方位置）におけるＲ／Ｄ比の値を表していることを示している。また、文字列「０．２１６」は、このヒストグラムが示すＲ／Ｄ比の値を表している。図１３では、角度５度間隔で７２個のヒストグラムが配列表示されている。このように、表示制御部１０２は、複数のＲ／Ｄ比の値Ｒ／Ｄ比（ｉ）を、対応するヒストグラムに関連付けて表示させるように動作する。
【０１４６】
ここで、所定範囲のヒストグラムは、その他のヒストグラムと異なる表示態様で表示されるようになっている。図１３においては、角度６０度〜１２０度及び２４０度〜３００度の範囲のヒストグラムが異なる表示態様で表示されている。このヒストグラムの表示態様としては、たとえば表示色を違えたり（つまり色分け表示したり）、表示濃度を違えたり、表示パターン（図柄）を違えたりすることができる。一般に、表示制御部１０２は、複数のＲ／Ｄ比の値Ｒ／Ｄ（ｉ）を２以上の範囲に分類するとともに、複数のヒストグラムを各分類毎の表示態様で表示させるように動作する。
【０１４７】
図１４を参照しつつ、計測結果の表示態様について更に説明する。図１４に示す計測結果表示画面３６００は、複数の指定位置を楕円近似した図１３の場合と異なり、視神経乳頭の外縁に相当する位置上に入力された複数の点を通過するスプライン曲線等の閉曲線を利用する場合（ステップ５の説明参照）における表示画面の一例である。
【０１４８】
計測結果表示画面３６００の眼底画像ＧＬＲ上には、視神経乳頭領域の外縁Ｄを表す画像や陥凹領域の外縁Ｃを表す画像とともに、リム領域の幅Ｒ（ｉ）を表す画像や、径Ｄ（ｉ）、Ｄ（ｖ）、Ｄ（Ｖ）、Ｄ（ｈ）、Ｄ（Ｈ）、Ｃ（ｖ）、Ｃ（ｈ）のうちの少なくともいずれかを表す画像（線状の画像）などが表示される。
【０１４９】
また、計測結果表示画面３６００には、眼底画像ＧＬＲ上における距離を表すスケール画像３６４０ｖ、３６４０ｈが表示される。スケール画像３６４０ｖは、垂直方向における距離を表している。スケール画像３６４０ｈは、水平方向における距離を表している。オペレータは、マウス２０５のドラッグ操作により、各スケール画像３６４０ｖ、３６４０ｈの表示位置を変更することができる。それにより、眼底画像ＧＬＲ上の所望の部位の長さや２点間の距離を計測することができる。
【０１５０】
また、計測結果表示画面３６００の眼底画像ＧＬＲ上には、ステップＳ８にて算出された複数のＲ／Ｄ比の値Ｒ／Ｄ（ｉ）の分布を表す画像情報が表示される。この画像情報は、少なくともＲ／Ｄ比の値の位置的な分布を表すものであるとともに、Ｒ／Ｄ比の値の大きさなどを表すものである。
【０１５１】
この画像情報は、特に、視神経乳頭領域（の外縁）Ｒ上に表示される。まず、Ｒ／Ｄ比の値Ｒ／Ｄ（ｉ）が所定閾値以下となる計測部位に対応する視神経乳頭領域Ｄ上の位置が、他の位置とは異なる表示態様で表示される。この表示態様は、他の位置と異なる表示色や表示濃度や表示パターンの画像情報を表示させるものである。また、他の位置と異なる太さの線状の画像を表示させるようにしてもよい。
【０１５２】
図１４においては、所定閾値としてＲ／Ｄ比＝０．１を適用しており、角度３０５度〜３２５度の範囲に対応する視神経乳頭領域Ｄ上の位置に画像情報ｄ１を表示させるとともに、角度３４０度の計測位置に対応する位置に画像情報ｄ２を表示させている。
【０１５３】
また、図１４においては、１１時〜１時に相当する視神経乳頭領域Ｄ上の位置に画像情報ｄ３を表示させるとともに、５時〜７時に相当する位置に画像情報ｄ４を表示させている。
【０１５４】
更に、図１４を参照しつつ、Ｒ／Ｄ比グラフに関する表示態様を説明する。図１４に示すＲ／Ｄ比グラフ３６２０に含まれるヒストグラムは、Ｒ／Ｄ比の値Ｒ／Ｄ（ｉ）が所定閾値（＝０．１）以下のものと、所定範囲（１１時〜１時、５時〜７時に相当する範囲）に含まれるものと、それ以外のものとに分類される。ここで、所定閾値以下であり、かつ、所定範囲に含まれるものについては、前者を優先することにする。
【０１５５】
表示制御部１０２は、これらの３つの分類を異なる表示態様で表示するようになっている。たとえば、所定閾値以下のヒストグラムを赤で表示し、所定範囲に含まれるヒストグラムを黄色で表示し、それ以外のヒストグラムを緑で表示させる。ここで、符号３６２０ａ、３６２０ｂは、所定閾値以下のヒストグラムを示している。このようにヒストグラムの表示態様を変更することにより、オペレータは、注目すべきヒストグラム（計測位置）を容易に把握することができる。
【０１５６】
Ｒ／Ｄ比グラフ３６２０の横の文字列の更に横位置には、Ｒ／Ｄ比の値Ｒ／Ｄ（ｉ）が所定閾値以下のものを示すマーク（たとえば黒丸）が表示されるマーク表示欄３６５０が設けられている。表示制御部１０２は、Ｒ／Ｄ比の値Ｒ／Ｄ（ｉ）が所定閾値以下のものを抽出し、マーク表示欄３６５０中の対応する欄にマークを表示させる。それにより、オペレータは、特に注目すべきヒストグラム（計測位置）、すなわちＲ／Ｄ比が小さな計測位置を容易に把握することができる。
【０１５７】
マーク表示欄３６５０の更に横位置には、あらかじめ設定された計測位置の範囲を示すマーク（星印）が表示される他のマーク表示欄３６６０が設けられている。このマーク表示欄３６６０へのマークの表示は、表示制御部１０２によって実行される。なお、図１４においては、１１時〜１時に相当する範囲の計測位置と、５時〜７時に相当する範囲の計測位置にマークが表示されている。それにより、あらかじめ設定された注目範囲の計測部位を容易に把握することが可能になる。なお、マーク表示欄３６６０に表示されるマークは、あらかじめ指定された眼底画像の部位を表す「指定部位情報」の一例に相当している。なお、指定部位情報を表示させる部位は、デフォルト設定されたものであってもよいし、オペレータが手作業で指定したものであってもよい。
【０１５８】
また、Ｒ／Ｄ比の値Ｒ／Ｄ（ｉ）が所定閾値以下である各範囲において、その範囲内で最小の値を有する計測位置を示すマーク３６７０が、画面右端部に表示される。図１４においては、角度３１５度の計測位置と、角度３４０度の計測位置とにマーク３６７０が表示されている。
【０１５９】
更に、算出された全てのＲ／Ｄ比の値Ｒ／Ｄ（ｉ）のうち最小の値を有する計測位置を示すマーク３６８０も画面右端部に表示される。図１４においては、マーク３６８０として文字列「Ｍｉｎ」が表示されている。
【０１６０】
次に、眼底画像ＧＬＲとＲ／Ｄ比グラフ３６２０とを連係させた表示制御について説明する。まず、オペレータが、マウス２０５のクリック操作等により眼底画像ＧＬＲ上の位置を指定すると、位置特定部１０１は、指定された位置に最も近いＲ／Ｄ比の計測位置を求める。そして、表示制御部１０２は、求められた計測位置に対応するヒストグラムの表示態様を変更する。この表示態様の変更は、たとえば表示色を反転させたり、所定の表示色に変更したりするものである。
【０１６１】
一方、オペレータが、マウス２０５のクリック操作等によりＲ／Ｄ比グラフ３６２０中のヒストグラムを指定すると、この指定されたヒストグラムに対応する眼底画像ＧＬＲ上の位置を表す位置情報を表示させる。この位置情報としては、当該位置を示す点状の画像や線上の画像等の画像情報を用いることができる。なお、複数のヒストグラムが指定された場合には、指定された範囲を示すたとえば線状の画像情報を表示することができる。
【０１６２】
最後に、Ｒ／Ｄ比の平均値について説明する。オペレータが、マウス２０５のドラッグ操作などにより眼底画像ＧＬＲ上の範囲（Ｒ／Ｄ比の計測部位の範囲）を指定すると、位置特定部１０１は、指定された範囲に含まれる計測部位を特定する。平均値演算部１３２は、特定された計測部位についてＲ／Ｄ比演算部１３１により算出されたＲ／Ｄ比の値Ｒ／Ｄ（ｉ）の平均値を算出する。表示制御部１０２は、算出された平均値を計測結果表示画面３６００上に表示させる。
【０１６３】
また、オペレータが、マウス２０５のクリック操作などによりＲ／Ｄ比グラフ３６２０中のヒストグラムを指定すると、平均値演算部１３２は、指定された計測部位についてＲ／Ｄ比演算部１３１により算出されたＲ／Ｄ比の値Ｒ／Ｄ（ｉ）の平均値を算出する。表示制御部１０２は、算出された平均値を計測結果表示画面３６００上に表示させる。
【０１６４】
［作用・効果］
以上のような眼底画像処理装置１の作用及び効果を説明する。
【０１６５】
眼底画像処理装置１は、眼底画像の画像データを解析し、視神経乳頭領域の外縁と陥凹領域の外縁とに挟まれたリム領域の幅と、視神経乳頭領域の外縁の径との比（すなわちＲ／Ｄ比）を演算する。このとき、リム領域の複数部位についてそれぞれＲ／Ｄ比を取得するようになっている。更に、眼底画像処理装置１は、眼底画像を表示させるとともに、取得された複数のＲ／Ｄ比の値の分布を表す画像情報を眼底画像上に表示させるように作用する。
【０１６６】
このような眼底画像処理装置１によれば、複数のＲ／Ｄ比の値の分布を示す画像情報を眼底画像上に表示するように構成されているので、オペレータは、Ｒ／Ｄ比の値の分布を直感的に把握することができる。したがって、眼底画像を解析して得られる指標（Ｒ／Ｄ比）を視認性良く表示することが可能である。
【０１６７】
また、眼底画像処理装置１は、複数のＲ／Ｄ比の値を２以上の範囲に分類し、各分類を異なる表示態様として画像情報を表示させるように構成されている。具体的には、複数のＲ／Ｄ比の値を、所定閾値以下のものや、あらかじめ設定された所定範囲に含まれるものなどに分類し、各分類を異なる表示態様（たとえば色分け表示など）で表示させるようになっている。したがって、眼底画像を解析して得られるＲ／Ｄ比を視認性良く表示することが可能である。特に、視神経乳頭領域の外縁位置に画像情報を表示させることにより、Ｒ／Ｄ比を良好な視認性で表示させることができる。
【０１６８】
また、眼底画像処理装置１は、表示された眼底画像上の位置がオペレータにより指定されたときに、その指定位置に対応するＲ／Ｄ比の値を表示させることができるので、オペレータは、所望の位置におけるＲ／Ｄ比の計測結果を容易に把握することができる。
【０１６９】
また、眼底画像処理装置１は、表示された眼底画像上の領域がオペレータにより指定されたときに、その指定領域におけるＲ／Ｄ比の平均値を算出して表示させることができるので、オペレータは、所望の範囲におけるＲ／Ｄ比の平均値を容易に把握することができる。
【０１７０】
眼底画像処理装置１は、眼底画像の画像データを解析し、視神経乳頭領域の外縁と陥凹領域の外縁とに挟まれたリム領域の幅と、視神経乳頭領域の外縁の径との比（すなわちＲ／Ｄ比）を、リム領域の複数部位について取得し、その複数のＲ／Ｄ比の値を表すグラフ情報を眼底画像とともに表示させるように作用する。
【０１７１】
このような眼底画像処理装置１によれば、複数のＲ／Ｄ比の計測結果を表すグラフ情報を表示することができるので、オペレータは、複数のＲ／Ｄ比の値及びそれらの分布を直感的に把握することができる。したがって、眼底画像を解析して得られる指標（Ｒ／Ｄ比）を視認性良く表示することが可能である。
【０１７２】
また、眼底画像処理装置１は、複数のＲ／Ｄ比のそれぞれの値をヒストグラムで表現したグラフ情報を表示させるようになっているので、オペレータは、複数のＲ／Ｄ比の値の分布を直感的に把握することができる。
【０１７３】
また、眼底画像処理装置１は、複数のＲ／Ｄ比の値を２以上の範囲に分類し、各分類を異なる表示態様としてグラフ情報を表示させるようになっている。具体的には、複数のＲ／Ｄ比の値を、所定閾値以下のものや、あらかじめ設定された所定範囲に含まれるものなどに分類し、各分類を異なる表示態様（たとえば色分け表示など）で表示させるようになっている。したがって、眼底画像を解析して得られる複数のＲ／Ｄ比を視認性良く表示することが可能である。
【０１７４】
また、眼底画像処理装置１によれば、あらかじめ指定された眼底画像の部位を示す指定部位情報をグラフ情報に関連付けて表示させることができるので、オペレータは、あらかじめ指定された部位についての情報を容易に特定することができる。
【０１７５】
また、眼底画像処理装置１は、取得された複数のＲ／Ｄ比の値をグラフ情報に関連付けて表示させることができる。具体的には、グラフ情報（Ｒ／Ｄ比グラフ）の横位置に、計測部位を示す文字列と、Ｒ／Ｄ比の値とを表示させるようになっている。このような構成によれば、オペレータは、グラフ情報に対応する計測結果（計測値）を容易に把握することができる。
【０１７６】
また、眼底画像処理装置１は、表示されたグラフ情報中の情報（ヒストグラム）がオペレータにより指定されたときに、その指定された情報に対応するＲ／Ｄ比の平均値を算出して表示させることができるので、オペレータは、所望の範囲におけるＲ／Ｄ比の平均値を容易に把握することができる。
【０１７７】
また、眼底画像処理装置１によれば、表示された眼底画像上の位置がオペレータにより指定されたときに、その指定位置に対応するグラフ情報中の情報（ヒストグラム）の表示態様を変更するように作用するので、オペレータは、所望の位置に対応するグラフ情報中の情報を容易に把握することができる。
【０１７８】
また、眼底画像処理装置１によれば、表示されたグラフ情報中の情報（ヒストグラム）がオペレータにより指定されたときに、その指定された情報に対応する眼底画像上の位置を表す位置情報を表示させるように作用するので、オペレータは、グラフ情報中の所望の情報に対応する眼底画像上の位置を容易に把握することができる。
【０１７９】
また、眼底画像処理装置１によれば、診断に利用可能な各種の情報を求めて表示させることができる。表示される情報としては、乳頭外縁画像、陥凹外縁画像、リム領域の幅を表す画像、視神経乳頭領域の外縁の径を表す画像、スケール画像、視神経乳頭領域の面積、陥凹領域の面積、リム領域の面積、リム領域と視神経乳頭領域の面積比、陥凹領域と視神経乳頭領域の面積比、Ｃ／Ｄ比などがある。
【０１８０】
［変形例］
この実施形態に係る眼底画像処理装置１の変形例を説明する。
【０１８１】
上記の実施形態では、複数のＲ／Ｄ比の計測結果のヒストグラムをグラフ情報として表示しているが、この発明に係る眼底画像処理装置においては、それ以外の形態のグラフ情報を表示させることができる。たとえば、複数のＲ／Ｄ比の計測結果をプロットしたグラフや、複数のＲ／Ｄ比の計測結果を連結して形成される折れ線グラフなどを表示させることができる。
【０１８２】
また、上記の実施形態では、複数のＲ／Ｄ比の計測結果を、所定閾値以下のものや、あらかじめ指定された部位に相当するものなどに分類しているが、これら以外の任意の分類を行うことができる。
【０１８３】
また、既に設定された視神経乳頭領域の外縁や陥凹領域の外縁を適宜に修正できるように構成することが可能である。たとえば、既に設定されて表示されている外縁の一部をマウス２０５によりドラッグすることにより、外縁の位置を修正するように構成することができる。外縁の位置が修正されたときに、この新たな外縁位置に基づいてＣ／Ｄ比やＲ／Ｄ比や面積や面積比などを再度演算して、その演算結果を表示することが可能である。また、グラフ情報や画像情報についても再度求めて表示することが可能である。なお、このような修正は、図１３、図１４に示した操作ボタン３５３０、３６３０のうちの修正ボタンをクリックして開始するようになっている。
【０１８４】
また、上記の実施形態では、眼底画像上に画像情報を表示させ、かつ、グラフ情報を表示させるようになっているが、これらのうちの一方のみを表示させる構成を適用することも可能である。また、画像情報とグラフ情報の一方や双方を適宜に切り替え表示できるように構成することもできる。
【０１８５】
また、上記の実施形態では、視神経乳頭領域の外縁や陥凹領域の外縁をオペレータが手作業で指定するようになっているが、従来と同様の任意の手法で自動的に指定するように構成することも可能である。
【０１８６】
〈第２の実施形態〉
この発明に係る眼底画像処理装置の第２の実施形態について説明する。この実施形態に係る眼底画像処理装置は、たとえば経過観察のように、異なる日時に取得された２つの眼底画像を比較する場合に好適に利用されるものである。
【０１８７】
この実施形態に係る眼底画像処理装置は、第１の実施形態と同様の構成を有している。図１５は、この実施形態に係る眼底画像処理装置１′の構成の一例を表している。眼底画像処理装置１′には、差分演算部１３６が設けられている。なお、図１５には位置特定部１０１と平均値演算部１３２が記載されていないが、眼底画像処理装置１′は位置特定部１０１と平均値演算部１３２を備えていてもよい。
【０１８８】
眼底画像処理装置１′は、同一の眼底について異なる日時に取得された２つの眼底画像の画像データＧ１、Ｇ２を眼科画像データベース２０００から受け付ける。ここで、眼底画像Ｇ１は、眼底画像Ｇ２よりも前に取得されたものとする。
【０１８９】
前述のように、各眼底画像は、患者ＩＤや左右眼の別や撮影日時などの付帯情報に関連付けられて保管されている。眼底画像処理装置１′は、この付帯情報を参照して、同一の眼底についての画像データであることを認識するとともに、異なる日時に取得された画像データであることを認識する。なお、「異なる日時」とは、日付又は時刻の少なくとも一方が異なることを意味している。
【０１９０】
Ｒ／Ｄ比演算部１３１は、眼底画像（の画像データ）Ｇ１、Ｇ２のそれぞれを解析し、第１の実施形態と同様にして複数のＲ／Ｄ比の値を算出する。ここで、各眼底画像Ｇ１、Ｇ２について、同じ計測部位についてＲ／Ｄ比を取得するものとする。以下、各計測部位ｉ（たとえばｉ＝１〜７２）について、眼底画像Ｇ１におけるＲ／Ｄ比の値をＲ／Ｄ１（ｉ）で表し、眼底画像Ｇ２におけるＲ／Ｄ比の値をＲ／Ｄ２（ｉ）で表すことにする。
【０１９１】
差分演算部１３６は、各眼底画像Ｇ１、Ｇ２について取得された複数のＲ／Ｄ比の値Ｒ／Ｄ１（ｉ）、Ｒ／Ｄ２（ｉ）のそれぞれの差分を演算する：差分ΔＲ／Ｄ（ｉ）＝ΔＲ／Ｄ２（ｉ）−ΔＲ／Ｄ１（ｉ）。この差分の定義によれば、ΔＲ／Ｄ（ｉ）の値が正である場合にはＲ／Ｄ比の値が増加したことを意味し、ΔＲ／Ｄ（ｉ）の値が０である場合にはＲ／Ｄ比の値が変化しなかったことを意味し、ΔＲ／Ｄ（ｉ）の値が負である場合にはＲ／Ｄ比の値が減少したことを意味する。
【０１９２】
なお、差分ΔＲ／Ｄ（ｉ）′＝ΔＲ／Ｄ１（ｉ）−ΔＲ／Ｄ２（ｉ）と定義することも可能である。この場合、差分の値の正負の意味する内容は上記の定義と逆になる。
【０１９３】
表示制御部１０２は、眼底画像Ｇ２を表示部１４１に表示させるとともに、差分演算部１３６により演算された複数の差分の値ΔＲ／Ｄ（ｉ）の分布を表す差分画像情報を眼底画像Ｇ２上に表示させる。
【０１９４】
差分画像情報は、たとえば図１４に示したように視神経乳頭領域の外縁Ｄを表す画像や陥凹領域の外縁Ｃを表す画像とともに表示されるものであり、差分の値ΔＲ／Ｄ（ｉ）が負の値である計測部位を表す画像情報（第１の画像情報と呼ぶ）や、差分の値ΔＲ／Ｄ（ｉ）が所定の負の値以下である計測部位を表す画像情報（第２の画像情報と呼ぶ）などを含む。
【０１９５】
ここで、第１の画像情報は、眼底画像Ｇ１の取得日時から眼底画像Ｇ２の取得日時までの間にＲ／Ｄ比の値が減少した部位を表すものである。また、第２の画像情報は、眼底画像Ｇ１の取得日時から眼底画像Ｇ２の取得日時までの間にＲ／Ｄ比の値が所定値以上減少した部位を表すものである。これらの画像情報は、特に緑内障の経過観察に有用である。
【０１９６】
このような眼底画像処理装置１′によれば、オペレータは、Ｒ／Ｄ比の値の変化の分布を直感的に把握することができるので、眼底画像を解析して得られる指標（Ｒ／Ｄ比の変化）を視認性良く表示することが可能である。
【０１９７】
表示制御部１０２は、複数の差分の値ΔＲ／Ｄ（ｉ）を２以上の範囲に分類し、各分類を異なる表示態様として差分画像情報を表示させることもできる。たとえば、第１の画像情報を黄色で表示させ、第２の画像情報を赤で表示させ、その他の計測部位（視神経乳頭領域の外縁Ｄ）を緑で表示させることができる。このように構成することにより、Ｒ／Ｄ比の変化を視認性良く表示することが可能である。
【０１９８】
なお、差分画像情報を先の眼底画像Ｇ１上に表示させることも可能である。また、眼底画像Ｇ１、Ｇ２の双方を同時に表示させ、それらのうちの一方又は双方の画像上に差分画像情報を表示させるようにしてもよい。更に、これらの表示態様を切り替え可能に構成することも可能である。
【０１９９】
表示制御部１０２は、先の眼底画像Ｇ１について取得された複数のＲ／Ｄ比の値Ｒ／Ｄ１（ｉ）のうち所定閾値（たとえば０．１）以下のＲ／Ｄ比に対応する部位を表す情報を、後の眼底画像Ｇ２上に表示させることができる。これによれば、オペレータは、先の撮影日時においてＲ／Ｄ比の値が小さかった部位に対応する後の眼底画像Ｇ２上の部位を容易に把握することができるので、経過観察等において便利である。
【０２００】
また、表示制御部１０２は、後の眼底画像Ｇ２について取得された複数のＲ／Ｄ比の値Ｒ／Ｄ２（ｉ）のうち所定閾値以下のＲ／Ｄ比に対応する部位を表す情報を、先の眼底画像Ｇ１上に表示させることができる。これによれば、オペレータは、後の撮影日時においてＲ／Ｄ比の値が小さくなる部位に対応する先の眼底画像Ｇ１上の部位を容易に把握することができるので、経過観察等において便利である。
【０２０１】
更に、表示制御部１０２は、眼底画像Ｇ１や眼底画像Ｇ２とともに、差分演算部１３６により演算された複数の差分の値ΔＲ／Ｄ（ｉ）の値を表す差分グラフ情報を表示させることができる。
【０２０２】
差分グラフ情報は、たとえば図１３や図１４に示したような各計測部位毎のヒストグラムであってもよいし、各計測部位の差分の値ΔＲ／Ｄ（ｉ）をプロットしたグラフや折れ線グラフなどであってもよい。
【０２０３】
このような眼底画像処理装置１′によれば、オペレータは、複数のＲ／Ｄ比の差分の値及びそれらの分布を直感的に把握することができるので、眼底画像を解析して得られる指標（Ｒ／Ｄ比の差分）を視認性良く表示することが可能である。
【０２０４】
また、表示制御部１０２は、複数の差分の値ΔＲ／Ｄ（ｉ）を２以上の範囲に分類し、各分類を異なる表示態様として差分グラフ情報を表示させることもできる。たとえば、前述の第１の画像情報に対応するヒストグラムを黄色で表示させ、第２の画像情報に対応するヒストグラムを赤で表示させ、その他の計測部位に対応するヒストグラムを緑で表示させることができる。このように構成することにより、Ｒ／Ｄ比の変化を視認性良く表示することが可能である。
【０２０５】
なお、上記の実施形態では、眼底画像上に差分画像情報を表示させ、かつ、差分グラフ情報を表示させるようになっているが、これらのうちの一方のみを表示させる構成を適用することも可能である。また、差分画像情報と差分グラフ情報の一方や双方を適宜に切り替え表示できるように構成することもできる。
【０２０６】
また、第１の実施形態において説明した任意の構成や動作を第２の実施形態に適宜に応用することが可能である。
【０２０７】
〈眼底撮影装置について〉
この発明に係る眼底撮影装置は、第１の実施形態の眼底撮影装置１０００と同様に被検眼の眼底画像を撮影して画像データ（デジタルデータ）を取得可能な装置であるとともに、第１の実施形態に係る眼底画像処理装置１や第２の実施形態に係る眼底画像処理装置１′の機能を有するコンピュータを具備した装置である。
【０２０８】
眼底画像を撮影して画像データを取得する構成は、この発明の「取得手段」として機能するものであり、たとえば一般的な眼底カメラや光コヒーレンストモグラフィ装置や走査型レーザ検眼鏡などと同様の構成を有する。
【０２０９】
〈プログラムについて〉
この発明に係るプログラムは、眼底画像を表示する表示手段を備え、この眼底画像の画像データを処理するコンピュータを、前述の眼底画像処理装置１や眼底画像処理装置１′として機能させるコンピュータプログラムである（その機能については上記実施形態の記載を参照）。
【０２１０】
この発明に係るプログラムは、コンピュータのドライブ装置によって読み取り可能な任意の記録媒体に記録させることができる。たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などの記録媒体を用いることが可能である。また、ハードディスクドライブやメモリ等の記憶装置に記憶させることも可能である。更に、インターネットやＬＡＮ等のネットワークを通じてこのプログラムを送信することも可能である。
【図面の簡単な説明】
【０２１１】
【図１】この発明に係る眼底画像処理装置の第１の実施形態の構成の一例を表す概略ブロック図である。
【図２】この発明に係る眼底画像処理装置の第１の実施形態の構成の一例を表す概略ブロック図である。
【図３】この発明に係る眼底画像処理装置の第１の実施形態によるＲ／Ｄ比の計測態様の一例を説明するための概略説明図である。
【図４】この発明に係る眼底画像処理装置の第１の実施形態によるＣ／Ｄ比の計測態様の一例を説明するための概略説明図である。
【図５】この発明に係る眼底画像処理装置の第１の実施形態によるＣ／Ｄ比の計測態様の一例を説明するための概略説明図である。
【図６】この発明に係る眼底画像処理装置の第１の実施形態の使用形態の一例を表すフローチャートである。
【図７】この発明に係る眼底画像処理装置の第１の実施形態により表示される表示画面の一例を表す概略図である。
【図８】この発明に係る眼底画像処理装置の第１の実施形態により表示される表示画面の一例を表す概略図である。
【図９】この発明に係る眼底画像処理装置の第１の実施形態により表示される表示画面の一例を表す概略図である。
【図１０】この発明に係る眼底画像処理装置の第１の実施形態により表示される表示画面の一例を表す概略図である。
【図１１】この発明に係る眼底画像処理装置の第１の実施形態により表示される表示画面の一例を表す概略図である。
【図１２】この発明に係る眼底画像処理装置の第１の実施形態により表示される表示画面の一例を表す概略図である。
【図１３】この発明に係る眼底画像処理装置の第１の実施形態により表示される表示画面の一例を表す概略図である。
【図１４】この発明に係る眼底画像処理装置の第１の実施形態により表示される表示画面の一例を表す概略図である。
【図１５】この発明に係る眼底画像処理装置の第２の実施形態の構成の一例を表す概略ブロック図である。
【符号の説明】
【０２１２】
１、１′  眼底画像処理装置
１０  制御部
１０１  位置特定部
１０２  表示制御部
１１  画像受付部
１２  画像記憶部
１３  画像解析部
１３１  Ｒ／Ｄ比演算部
１３２  平均値演算部
１３３  Ｃ／Ｄ比演算部
１３４  面積演算部
１３５  面積比演算部
１３６  差分演算部
１４  ユーザインターフェイス
１４１  表示部
１４２  操作部
２００  マイクロプロセッサ
２０１  ＲＡＭ
２０２  不揮発性記憶装置
２０３  ディスプレイ
２０４  キーボード
２０５  マウス
２０６  通信インターフェイス
１０００  眼底撮影装置
２０００  眼科画像データベース
Ｐ  プログラム
【図１】
2008154951.tif 000003
【図２】
2008154951.tif 000004
【図３】
2008154951.tif 000005
【図４】
2008154951.tif 000006
【図５】
2008154951.tif 000007
【図６】
2008154951.tif 000008
【図７】
2008154951.tif 000009
【図８】
2008154951.tif 000010
【図９】
2008154951.tif 000011
【図１０】
2008154951.tif 000012
【図１１】
2008154951.tif 000013
【図１２】
2008154951.tif 000014
【図１３】
2008154951.tif 000015
【図１４】
2008154951.tif 000016
【図１５】
2008154951.tif 000017